(57)【要約】【課題】メディアコンテンツを作成し、編集し、アップロードし、保存し、共有し、公開するシステムを提供する。【解決手段】メディアコンテンツを作成し、編集し、アップロードし、保存し、共有し、公開するシステム及びステップは、ユーザが個人化されたメディアコンテンツにデジタル資産を組み込むための、ホームページ（３００）上に表示されたユーザ選択操作子（３１０）を備える。ユーザは、ウェブサイト上の共有ページを介して、個人化されたメディアコンテンツを他のユーザと共有することができる。【選択図】図３
2010109989.tif 000002
【特許請求の範囲】
【請求項１】
第１のユーザにメディアコンテンツアイテムを個人化することを可能とする少なくとも１つのメディア作成及び編集ツールと、
個人化されたメディアコンテンツアイテムにリンクするための少なくとも１つのユーザ選択操作子と、
少なくとも１つの広告領域と、
上記少なくとも１つのユーザ選択操作子を備える上記少なくとも１つの広告領域を取り入れるようにプログラミングされるとともに、上記個人化されたメディアコンテンツアイテムをユーザが認識できる形式で再生するようにプログラミングされたメディアプレイヤに上記個人化されたメディアコンテンツをリンクすることが選択可能とされたユーザ選択操作子とを備えるブロードバンド創造性プラットホームを用いたユーザインタフェース。
【請求項２】
少なくとも１つのサーバネットワーク装置と、
少なくとも１つのユーザインタフェースを提供するようにプログラミングされたネットワーク装置と、
ネットワークを介して上記サーバネットワーク装置と通信可能に接続された少なくとも１つのユーザネットワーク装置とを更に備え、
上記少なくとも１つのユーザネットワーク装置が上記ユーザインタフェースにアクセスするようにプログラミングされていることを特徴とする請求項１記載のユーザインタフェース。
【請求項３】
上記ネットワークはインターネットを含み、上記ユーザインタフェースはウェブサイトを含むことを特徴とする請求項２記載のユーザインタフェース。
【請求項４】
上記個人化されたメディアコンテンツアイテムは、上記第１のユーザによって作成される少なくとも１つのメディアコンテンツアイテムを含み、メディアコンテンツは上記第１のユーザによって編集されることを特徴とする請求項１記載のユーザインタフェース。
【請求項５】
少なくとも１つがメディアコンテンツアイテムのダウンロードを容易にし、メディアコンテンツの作成及び編集ツールのダウンロードを容易にし、デジタル資産パックのダウンロードを容易にするようにされた複数のウェブサイトページを更に備えることを特徴とする請求項１記載のユーザインタフェース。
【請求項６】
少なくとも１つがメディアコンテンツアイテムの作成及び編集を容易にし、
メディアコンテンツのアップロードを容易にし、メディアコンテンツアイテムの格納及び管理を容易にし、メディアコンテンツアイテムの表示を容易にし、メディアコンテンツアイテムの検索を容易にし、メディアコンテンツアイテムの閲覧を容易にし、メディアコンテンツアイテムの共有を容易にするようにされた複数のウェブサイトページを更に備えることを特徴とする請求項１記載のユーザインタフェース。
【請求項７】
メディアコンテンツアイテムを電子メールにより送信するためのユーザ選択操作子を備えることを特徴とする請求項５記載のユーザインタフェース。
【請求項８】
少なくとも１つの関連ページ、関連ポッパー又は関連ウェブサイトにユーザをリンクするための少なくとも１つのユーザ選択特徴リンクを備えることを特徴とする請求項５記載のユーザインタフェース。
【請求項９】
上記複数のウェブサイトページは、ジャンルページ、ジャンルゾーンページ、メディアコンテンツ作成及び編集ツールページ、メディアコンテンツツール及び資産パックダウンロードページ、ショーケースページ、ショーケース管理ページ、共有ページ、及び共有管理ページを更に備えることを特徴とする請求項５記載のユーザインタフェース。
【請求項１０】
上記少なくとも１つの広告領域は、上記第１のユーザに関連したユーザショーケースページに配置されることを特徴とする請求項６記載のユーザインタフェース。
【請求項１１】
上記第１のユーザに関連したユーザショーケースページは、第２のユーザによって閲覧可能であることを特徴とする請求項１０記載のユーザインタフェース。
【請求項１２】
少なくとも１つが複数のウェブサイトページ間を移動し、「経験」オプションを選択し、「作成」オプションを選択し、「結合」オプションを選択し、「お気に入り」オプションを選択し、「ログイン」オプションを選択し、「検索」オプションを選択し、「グラフィカルガイド」オプションを選択し、「設定」オプションを選択し、「関連」オプションを選択し、「ヘルプ」オプションを選択する複数のユーザ選択操作子を更に備えることを特徴とする請求項５記載のユーザインタフェース。
【請求項１３】
「経験」オプションを選択する上記ユーザ選択操作子は、「アクション」ジャンルオプション、「コメディ」ジャンルオプション、「ドラマ」ジャンルオプション、「音楽」ジャンルオプション、及び「サイエンスフィクション」ジャンルオプションのうちの少なくとも１つを選択するためのユーザ選択操作子を更に備えることを特徴とする請求項１２記載のユーザインタフェース。
【請求項１４】
「アクション」ジャンルオプション、「コメディ」ジャンルオプション、「ドラマ」ジャンルオプション、「音楽」ジャンルオプション、及び「サイエンスフィクション」ジャンルオプションのうちの少なくとも１つを選択するための上記ユーザ選択操作子は、ジャンル「ゾーン」ページを選択するためのユーザ選択操作子を備えることを特徴とする請求項１３記載のユーザインタフェース。
【請求項１５】
上記メディアプレイヤは、メディアコンテンツアイテムを再生するためのポップアップウィンドウを備えることを特徴とする請求項１記載のユーザインタフェース。
【請求項１６】
上記少なくとも１つのユーザ選択操作子は、ユーザ選択プロモート画像を備えることを特徴とする請求項１記載のユーザインタフェース。
【請求項１７】
上記少なくとも１つのユーザ選択操作子は、ユーザ選択テキストリンクを備えることを特徴とする請求項１記載のユーザインタフェース。
【請求項１８】
ユーザ選択写真を提示するための少なくとも１つの表示領域を更に備えることを特徴とする請求項１記載のユーザインタフェース。
【請求項１９】
ユーザ選択オーディオクリップ及びユーザ選択ビデオクリップのうち少なくとも１つを提示するための少なくとも１つの表示領域を更に備えることを特徴とする請求項１記載のユーザインタフェース。
【請求項２０】
広告を提示するための少なくとも１つの表示領域を更に備えることを特徴とする請求項１記載のユーザインタフェース。
【請求項２１】
ユーザインタフェース上でユーザが個人化されたメディアコンテンツアイテムを公表することを可能にするアイテム公表システムにおいて、
ユーザインタフェースを提供するようプログラミングされ、ネットワークを介して、該ユーザインタフェースにアクセスするようプログラミングされた少なくとも１つのユーザネットワーク機器に通信可能に接続された少なくとも１つのサーバネットワーク機器と、
ユーザが少なくとも１つのコンテンツアイテムを個人化するために用いる少なくとも１つのメディア作成及び編集ツールと、
少なくとも１つの個人化されたメディアコンテンツアイテムを保存するストレージ装置と、
少なくとも１つの個人化されたメディアコンテンツアイテムへのリンクを受け取るようプログラミングされた少なくとも１つのスロットを備えるテンプレートと、
ユーザが上記少なくとも１つのスロットにリンクを関連付けるようプログラミングされた少なくとも１つのユーザ選択操作子とを備え、
上記リンクは、上記少なくとも１つの保存された個人化されたメディアコンテンツアイテムのユーザが認識できる形式での再生をアクティブ化するよう選択可能であるアイテム公表システム。
【請求項２２】
上記ネットワークは、インターネットを含み、上記ユーザインタフェースは、ウェブサイトを含むことを特徴とする請求項２１記載のアイテム公表システム。
【請求項２３】
上記個人化されたメディアコンテンツアイテムは、上記ユーザによって作成される少なくとも１つのメディアコンテンツアイテムを含み、メディアコンテンツは上記ユーザによって編集されることを特徴とする請求項２１記載のアイテム公表システム。
【請求項２４】
上記少なくとも１つのサーバネットワーク機器は、更に、テンプレートから作成され、少なくとも１つのスロットに対応し、リンクを有する少なくとも１つのプロモーション領域を有するユーザショーケースページをユーザインタフェース上に表示するようプログラミングされていることを特徴とする請求項２１記載のアイテム公表システム。
【請求項２５】
メディアコンテンツアイテムをユーザが認識可能な形式で再生するようプログラミングされているメディアプレイヤを更に備える請求項２１記載のアイテム公表システム。
【請求項２６】
（削除）
【請求項２７】
上記少なくとも１つのサーバネットワーク機器は、更に、ネットワークを介してサーバネットワーク機器に通信可能に接続された複数のユーザネットワーク機器にユーザショーケースページを表示するようプログラミングされていることを特徴とする請求項２２記載のアイテム公表システム。
【請求項２８】
上記ストレージ装置は、上記サーバネットワーク機器に関連付けられていることを特徴とする請求項２１記載のアイテム公表システム。
【請求項２９】
上記少なくとも１つユーザ選択操作子は、上記ストレージ装置に保存された個人化されたメディアコンテンツアイテムのリストをユーザに表示し、ユーザが該リストから個人化されたコンテンツアイテムを選択することを可能にし、少なくとも１つのスロットに選択された個人化されたコンテンツアイテムへのリンクを関連付けるプルダウンボックスを備えることを特徴とする請求項２１記載のアイテム公表システム。
【請求項３０】
上記リンクは、ユーザが選択可能なプロモート画像を備えることを特徴とする請求項２１記載のアイテム公表システム。
【請求項３１】
上記ユーザが選択可能なプロモート画像は、デジタル写真を含むことを特徴とする請求項３０記載のアイテム公表システム。
【請求項３２】
上記ユーザが選択可能なプロモート画像は、グラフィック画像を含むことを特徴とする請求項３０記載のアイテム公表システム。
【請求項３３】
画像のリストから、ユーザが選択可能なプロモート画像を選択するためのユーザ選択操作子を更に備える請求項３０記載のアイテム公表システム。
【請求項３４】
上記ユーザが選択可能なプロモート画像を選択するためのユーザ選択操作子は、画像のリストをユーザに表示し、ユーザが該リストから画像を選択することを可能にし、少なくとも１つのスロットを選択された画像に関連付けるプルダウンボックスを備えることを特徴とする請求項３３記載のアイテム公表システム。
【請求項３５】
上記リンクは、ユーザが選択可能なテキストを含むことを特徴とする請求項２１記載のアイテム公表システム。
【請求項３６】
個人化されたメディアコンテンツアイテムに関する情報を入力するフリーテキスト入力ボックスを更に備える請求項２１記載のアイテム公表システム。
【請求項３７】
上記情報は、個人化されたメディアコンテンツアイテムの名称を含むことを特徴とする請求項３６記載のアイテム公表システム。
【請求項３８】
ユーザがメディアコンテンツアイテムに組み込むためにアクセス可能な複数のデジタル資産と、
ユーザがメディアコンテンツアイテムに上記複数のデジタル資産のうちの少なくとも１つを組み込み、個人化されたメディアコンテンツアイテムを作成するためにアクセス可能な少なくとも１つのメディア作成及び編集ツールと、
上記個人化されたメディアアイテムを保存するストレージ領域と、
上記個人化されたメディアアイテムをユーザが認識可能な形式で表示する表示領域とを備え、
第１のユーザがメディアコンテンツアイテムを個人化し、保存し及び表示し、第２のユーザが上記個人化されたメディアコンテンツアイテムをユーザが認識可能な形式で再生するブロードバンド創造性プラットホームを用いたユーザインタフェース。
【請求項３９】
ユーザインタフェースを提供するようプログラミングされた少なくとも１つのサーバネットワーク機器と、
ネットワークを介して上記サーバネットワーク装置と通信可能に接続された少なくとも１つのユーザネットワーク装置とを更に備え、
上記少なくとも１つのユーザネットワーク装置が上記ユーザインタフェースにアクセスするようにプログラミングされていることを特徴とする請求項３８記載のユーザインタフェース。
【請求項４０】
上記ネットワークはインターネットを含み、上記ユーザインタフェースはウェブサイトを含むことを特徴とする請求項３９記載のユーザインタフェース。
【請求項４１】
上記複数のデジタル資産は、デジタルビデオ、デジタルオーディオ、デジタル写真、デジタルグラフィック、デジタルテキスト、デジタルアニメーションのうちの少なくとも１つを含むことを特徴とする請求項３８記載のユーザインタフェース。
【請求項４２】
上記複数のデジタル資産は、資産パックを備えることを特徴とする請求項３８記載のユーザインタフェース。
【請求項４３】
上記少なくとも１つのメディア作成及び編集ツールは、オンラインメディアコンテンツ作成及び編集ソフトウェアを備えることを特徴とする請求項３８記載のユーザインタフェース。
【請求項４４】
上記オンラインメディアコンテンツ作成及び編集ソフトウェアは、ツールポッパーウィンドウ上で実行されることを特徴とする請求項４３記載のユーザインタフェース。
【請求項４５】
上記表示領域は、ウェブサイトショーケースページを含むことを特徴とする請求項４０記載のユーザインタフェース。
【請求項４６】
メディアコンテンツを作成及び編集するための複数のツールアプリケーションウェブサイトページを更に備える請求項４０記載のユーザインタフェース。
【請求項４７】
上記少なくとも１つのツールアプリケーションウェブサイトページは、少なくとも１つの予め定義されたテンプレート及びタイムラインを備えることを特徴とする請求項４６記載のユーザインタフェース。
【請求項４８】
上記タイムラインは、ユーザによりメディアコンテンツセグメントが取り入れられたメディアコンテンツコンテナを備えることを特徴とする請求項４７記載のユーザインタフェース。
【請求項４９】
上記メディアコンテンツセグメントは、ビデオセグメントであることを特徴とする請求項４８記載のユーザインタフェース。
【請求項５０】
上記メディアコンテンツセグメントは、オーディオセグメントであることを特徴とする請求項４８記載のユーザインタフェース。
【請求項５１】
メディア作成及び編集ツール、及びデジタル資産のうちの少なくとも一方を上記ユーザネットワーク機器にダウンロードするためのダウンロードツールページを更に備える請求項４０記載のユーザインタフェース。
【請求項５２】
上記ダウンロードツールページは、ユーザがダウンロード可能なデジタル資産及びメディア作成及び編集ツールのリストを示すデジタル資産及び作成及び編集ツールリストを含むことを特徴とする請求項５１記載のユーザインタフェース。
【請求項５３】
上記ダウンロードツールページは、デジタル資産及びメディア作成及び編集ツールのリストのうちの少なくとも一方に関する情報を提供するユーザが選択可能なタブを更に備えることを特徴とする請求項５２記載のユーザインタフェース。
【請求項５４】
上記情報は、コンテンツのリスト、説明、クレジット、要約、著作権表示、チュートリアルのうちの少なくとも１つを含むことを特徴とする請求項５３記載のユーザインタフェース。
【請求項５５】
上記ダウンロードツールページは、デジタル資産の全て及びメディア作成及び編集ツールの全てのうちの少なくとも一方をダウンロードするための「全てをダウンロードする」操作子を更に備えることを特徴とする請求項５１記載のユーザインタフェース。
【請求項５６】
上記ダウンロードツールページは、デジタル資産の全て及びメディア作成及び編集ツールの全てのうちの少なくとも一方をプレビューするための「全てをプレビューする」操作子を更に備えることを特徴とする請求項５１記載のユーザインタフェース。
【請求項５７】
デジタル資産の全て及びメディア作成及び編集ツールの全てのうちの少なくとも一方は、メディアポッパー内でプレビューされることを特徴とする請求項５６記載のユーザインタフェース。
【請求項５８】
上記ダウンロードツールページは、ユーザをウェブサイトの関連する領域にリンクする「関連リンク」セクションを更に備えることを特徴とする請求項５１記載のユーザインタフェース。
【請求項５９】
上記関連リンクセクションは、「体験関連リンク」、「作成関連リンク」、「接続関連リンク」、「購買関連リンク」のうちの少なくとも１つを含むことを特徴とする請求項５８記載のユーザインタフェース。
【請求項６０】
ユーザインタフェースを介してユーザにデジタル資産を提供するステップと、
ユーザがメディアコンテンツアイテムに上記複数のデジタル資産のうちの少なくとも１つを組み込み、個人化されたメディアコンテンツアイテムを作成するためのメディア作成及び編集ツールを上記ユーザインタフェース上でユーザに提供するステップと、
ユーザが上記個人化されたメディアコンテンツを表示するユーザインタフェース表示ページを作成するショーケースページ作成ツールをユーザに提供するステップと、
ユーザの個人化されたメディアコンテンツをアップロードし、保存するステップと、
上記ユーザインタフェース表示ページ上に上記ユーザの個人化されたメディアコンテンツを表示するステップとを有し、
上記ユーザインタフェース表示ページは、上記ユーザインタフェースの他のユーザに表示される電子メディアコンテンツ作成及び公開方法。
【請求項６１】
上記ユーザインタフェースを介してユーザにデジタル資産を提供するステップは、ユーザに表示されるウェブサイトページを介して、ウェブサイト上のデジタル資産をユーザにアクセスさせるステップを有することを特徴とする請求項６０記載の電子メディアコンテンツ作成及び公開方法。
【請求項６２】
上記メディア作成及び編集ツールを上記ユーザインタフェース上でユーザに提供するステップは、ユーザに表示されるウェブサイトページを介して、ウェブサイト上のメディア作成及び編集ツールをユーザにアクセスさせるステップを有することを特徴とする請求項６０記載の電子メディアコンテンツ作成及び公開方法。
【請求項６３】
上記ユーザの個人化されたメディアコンテンツをアップロードし、保存するステップは、ユーザが、ユーザの個人化されたメディアコンテンツをアップロード及び保存できる「記憶空間管理」ウェブサイトページをユーザに提供するステップを有することを特徴とする請求項６０記載の電子メディアコンテンツ作成及び公開方法。
【請求項６４】
上記ユーザの個人化されたメディアコンテンツをアップロードし、保存するステップは、該ユーザの個人化されたメディアコンテンツをウェブサイトに関連付けられたストレージ装置に保存するステップを有することを特徴とする請求項６０記載の電子メディアコンテンツ作成及び公開方法。
【請求項６５】
上記ユーザの個人化されたメディアコンテンツを表示するステップは、ウェブサイトユーザショーケースページ上に該ユーザの個人化されたメディアコンテンツを表示するステップを有することを特徴とする請求項６０記載の電子メディアコンテンツ作成及び公開方法。
【請求項６６】
ユーザの個人化されたメディアコンテンツをアップロード及び保存できる「記憶空間管理」ウェブサイトページをユーザに提供するステップは、「記憶空間管理」ウェブサイトページ上に、「アップロード」ユーザ選択操作子を提供し、メディアコンテンツファイルのディレクトリリストから選択されたメディアコンテンツをアップロードするステップを有することを特徴とする請求項６３記載の電子メディアコンテンツ作成及び公開方法。
【請求項６７】
上記メディアコンテンツファイルのディレクトリリストから選択されたメディアコンテンツファイルをアップロードするステップは、アップロードすべきメディアコンテンツファイルに関する情報を入力するステップを有することを特徴とする請求項６６記載の電子メディアコンテンツ作成及び公開方法。
【請求項６８】
上記アップロードすべきメディアコンテンツファイルに関する情報を入力するステップは、メディアコンテンツの作者に関する情報、メディアコンテンツを説明する情報、メディアコンテンツ内の検索可能なキーワード、メディアコンテンツの特徴タイプ、メディアコンテンツの特徴サブタイプ、メディアコンテンツのジャンル、メディアコンテンツのサブジャンルのうちの少なくとも１つを入力するステップを含むことを特徴とする請求項６７記載の電子メディアコンテンツ作成及び公開方法。
【請求項６９】
ユーザの個人化されたメディアコンテンツをウェブサイトの他のユーザと共有するステップを更に有する請求項６１記載の電子メディアコンテンツ作成及び公開方法。
【請求項７０】
上記ユーザの個人化されたメディアコンテンツをウェブサイトの他のユーザと共有するステップは、ウェブサイト「共有管理」ページ上に該ユーザの個人化されたメディアコンテンツへのアクセスを設けるステップを有することを特徴とする請求項６９記載の電子メディアコンテンツ作成及び公開方法。
【請求項７１】
上記ウェブサイト「共有管理」ページ上に該ユーザの個人化されたメディアコンテンツへのアクセスを設けるステップは、「共有」に指定されたメディアコンテンツファイルのディレクトリリストを表示するステップを有することを特徴とする請求項７０記載の電子メディアコンテンツ作成及び公開方法。
【請求項７２】
上記ウェブサイト「共有管理」ページ上に該ユーザの個人化されたメディアコンテンツへのアクセスを設けるステップは、上記リストに表示されたメディアコンテンツファイルに関連付けられ、該関連付けられたメディアコンテンツファイルのダウンロード処理を開始するための「ダウンロード」ユーザ選択操作子を提供するステップを更に有することを特徴とする請求項７１記載の電子メディアコンテンツ作成及び公開方法。
【請求項７３】
上記「ダウンロード」ユーザ選択操作子に関連付けられたメディアコンテンツファイルのダウンロード処理を開始するステップは、「ダウンロード」ユーザ選択操作子を選択したユーザのユーザネットワーク機器に上記メディアコンテンツファイルをダウンロードするステップを有することを特徴とする請求項７２記載の電子メディアコンテンツ作成及び公開方法。
【請求項７４】
ユーザインタフェース上でユーザがメディアコンテンツ公開することを可能とするメディアコンテンツ公開方法において、
少なくとも１つのメディアコンテンツアイテムを個人化するためにユーザが使用する少なくとも１つのメディア作成及び編集ツールをユーザに提供するステップと、
上記個人化されたメディアアイテムを保存するストレージ領域をユーザに提供するステップと、
少なくとも１つの個人化されたメディアコンテンツアイテムへのリンクを受け取るようプログラミングされた少なくとも１つのスロットを備えるテンプレートをユーザに表示するステップと、
上記ユーザが上記少なくとも１つのスロットにリンクを関連付けることを可能にするようプログラミングされた少なくと１つのユーザ選択操作子を提供するステップとを有し、
上記リンクは、上記少なくとも１つの保存された個人化されたメディアコンテンツアイテムのユーザが認識できる形式での再生をアクティブ化するよう選択可能であるメディアコンテンツ公開方法。
【請求項７５】
上記ユーザインタフェースは、インターネットウェブサイトを含むことを特徴とする請求項７４記載のメディアコンテンツ公開方法。
【請求項７６】
テンプレートから作成され、少なくとも１つのスロットに対応し、リンクを有する少なくとも１つのプロモーション領域を有するユーザショーケースページを表示するステップを更に有する請求項７５記載のメディアコンテンツ公開方法。
【請求項７７】
上記ウェブサイトのユーザに上記ショーケースページを表示するステップは、該ユーザショーケースページをウェブサイトの複数のユーザに表示するステップを更に有することを特徴とする請求項７５記載のメディアコンテンツ公開方法。
【請求項７８】
ウェブサイト上のユーザインタフェースを介して、デジタル資産、メディア作成及び編集ツールにアクセスするステップと、
上記メディア作成及び編集ツールを用いて、メディアコンテンツにデジタル資産を組み込み、個人化されたメディアコンテンツを作成するステップと、
ショーケースページ作成ツールにアクセスし、上記個人化されたメディアコンテンツを表示するウェブサイト表示ページを作成するステップと、
上記個人化されたメディアコンテンツをアップロード及び保存するステップと、
上記個人化されたメディアコンテンツを上記ウェブサイト表示ページに表示するステップとを有し、
上記ウェブサイト表示ページは、上記ウェブサイトの他のユーザに表示される電子メディアコンテンツ作成及び公開方法。
【請求項７９】
上記メディア作成及び編集ツールを用いて、メディアコンテンツに上記デジタル資産を組み込むステップは、オンラインメディアコンテンツ作成及び編集ツールを用いて、ユーザのメディアコンテンツに上記デジタル資産を組み込むステップを有することを特徴とする請求項７８記載の電子メディアコンテンツ作成及び公開方法。
【請求項８０】
上記メディア作成及び編集ツールを用いて、メディアコンテンツに上記デジタル資産を組み込むステップは、ダウンロードしたメディアコンテンツ作成及び編集ツールを用いて、上記メディアコンテンツにデジタル資産を組み込むステップを有することを特徴とする請求項７９記載の電子メディアコンテンツ作成及び公開方法。
【発明の詳細な説明】
【技術分野】
【０００１】
本出願は、２００１年６月１５日に出願した仮出願番号６０／２９８，３７２の優先権を主張し、この出願は、引用によってここに援用される。また、本出願は、２００１年７月１３日に出願した係属中の米国通常の特許出願、代理人整理番号041892-0216，発明の名称「コンテンツ管理システム及び方法（Content Management System and Process）」に関するものであり、この出願の内容は、引用によってここに援用される。
【０００２】
本発明は、メディアコンテンツのオンライン公開システム及び方法に関し、特にオンラインでメディアコンテンツを作成、編集、共有及び公開するブロードバンド創造性プラットホーム（broadband creativity platform）に関する。
【背景技術】
【０００３】
デジタルマルチメディアの作成及び編集技術の進歩により、より多くの人々が、自らのホームコンピュータで彼ら自身のビデオ、オーディオ及びグラフィック作品を作成するためのツールを利用できるようになった。多くの作成及び編集ツールが市場から入手可能であり、これにより非専門的なユーザが様々な作成及び編集作業を行えるようになった。このような作業は、以前は、メディア編集処理に特化したハイエンド設備を備える現場に従事するメディア編集の専門家しか行えないものであった。業務用及び非業務用機器において、個人的なコンテンツを作成及び編集することへの関心が高まり、ビデオ、オーディオ及びグラフィック作品を作成するソフトウェアツールへの要求が増大している。
【０００４】
しかしながら、作品を作成するユーザにとって、これらのツールは、高コストであり、ユーザがその使用法を習得するまでに膨大な時間が必要である。ユーザは、作品を作成したいという願望を有するが、これらのツールの利用が制限され、様々なツールの使用法を学習するために膨大な時間が必要であることが、この願望の妨げとなっている。また、専門家でないユーザの作品を他者が鑑賞する機会が制限されていることも、作品を作成するユーザの願望の妨げとなっている。自らのコンテンツをどのように作成し、編集するかを学んだ後も、専門家ではないユーザは、自らの作品のコピーを電子メールに添付して、数名の友人に送付して発表する程度の機会しか有していない。このユーザに才能があったとしても、非常に少ない人々しか、その作品を鑑賞することができない。
【０００５】
したがって、ユーザフレンドリなメディアコンテンツ作成及び編集システム及び方法の実現が望まれている。更に、ユーザが自らのメディアコンテンツをより多くの人々に公開し、他のユーザとメディアコンテンツを共有するためのメディアコンテンツ共有及び公開システム及び方法の実現が望まれている。
【発明の概要】
【課題を解決するための手段】
【０００６】
本発明は、上述した従来の技術の問題を解決するために、メディアコンテンツ作成及び公開システム及び方法を提供する。本発明の具体例は、１つ以上のユーザネットワーク機器と、１つ以上のユーザネットワーク機器に通信リンクを介して接続された１つ以上のサーバネットワーク機器とを備えるオンライン環境内で実現される。
【０００７】
本発明の更なる具体例は、ユーザがアクセス及びダウンロードし、自らのメディアコンテンツアイテムを作成及び編集することができるメディア作成及び編集ツールを提供する通信リンクを介して、ユーザがアクセス可能なブロードバンド創造性プラットホームを提供する。
【０００８】
本発明の更なる具体例は、通信リンクを介してユーザがアクセス可能であり、ユーザが自らのメディアコンテンツアイテムに組み込むことができるデジタル資産を提供するブロードバンド創造性プラットホームを提供する。
【０００９】
本発明の更なる具体例は、通信リンクを介してユーザがアクセス可能であり、ユーザが作成したメディアコンテンツアイテムを保存するストレージ領域を提供するブロードバンド創造性プラットホームを提供する。
【００１０】
本発明の更なる具体例は、通信リンクを介してユーザがアクセス可能であり、メディアコンテンツアイテムを保存及び管理できるツールを提供するブロードバンド創造性プラットホームを提供する。
【００１１】
本発明の更なる具体例は、通信リンクを介してユーザがアクセス可能であり、ユーザ間でメディアコンテンツを共有できるツールを提供するブロードバンド創造性プラットホームを提供する。
【００１２】
本発明の更なる具体例は、通信リンクを介してユーザがアクセス可能であり、メディアコンテンツアイテムを表示するためのユーザ表示ページを構成及び管理できるツールを提供するブロードバンド創造性プラットホームを提供する。
【００１３】
本発明の一具体例においては、ブロードバンド創造性プラットホームは、ウェブブラウザを介してユーザがアクセス可能なウェブサイトとして実現され、ウェブサイトは、ユーザに、複数のウェブページと他のプログラミングされた要素を表示し、これらの要素により、ユーザは、メディアコンテンツアイテムを作成及び編集し、メディアコンテンツアイテムをユーザストレージ領域に保存し、ユーザストレージ領域内のメディアコンテンツアイテムを管理し、メディアコンテンツアイテムを他のユーザと共有し、他のユーザにメディアコンテンツアイテムを表示するためのユーザショーケースページを構成及び管理でき、これによりメディアコンテンツの作成及び公開作業が容易になる。
【００１４】
本発明のこれらの及びこの他の目的、特徴及び利点は、添付の図面及び請求の範囲とともに、以下に示す本発明の実施の形態の説明により、当業者に明らかとなる。
【図面の簡単な説明】
【００１５】
【図１】本発明に基づくシステム及び方法が採用されるクライアント−サーバシステムを例示的に示す図である。
【図２】本発明に基づくウェブサイトホームページの具体例を示す図である。
【図３】本発明に基づくアクションチャンネルホームページの具体例を示す図である。
【図４】本発明に基づく作成チャンネルページの具体例を示す図である。
【図５】本発明に基づく作成ツールアプリケーションページの具体例を示す図である。
【図６】本発明に基づくデジタルメディア編集アプリケーションの具体例を示す図である。
【図７】本発明に基づく要素が取り入れられたタイムライン具体例を示す図である。
【図８】本発明に基づくダウンロードツールページの具体例を示す図である。
【図９】本発明に基づくスタッシュマネージャページの具体例を示す図である。
【図１０】本発明に基づく「ファイルをスタッシュにアップロード（Upload File To Stash）」ポップアップウィンドウの具体例を示す図である。
【図１１】本発明に基づく「あなたのファイルについての詳細」ポップアップウィンドウの具体例を示す図である。
【図１２】本発明に基づく共有管理ページの具体例を示す図である。
【図１３】本発明に基づく「共有管理にファイルをアップロードする」ポップアップウィンドウの具体例を示す図である。
【図１４】本発明に基づく「共有アップロードの照合」ポップアップウィンドウの具体例を示す図である。
【図１５】本発明に基づく「マイスタッシュの閲覧」ポップアップウィンドウの具体例を示す図である。
【図１６】本発明に基づくユーザショーケース管理ページの具体例を示す図である。
【図１７】本発明に基づくショーケース管理ページの具体例を示す図である。
【図１８】本発明に基づくユーザショーケースページの具体例を示す図である。
【発明を実施するための形態】
【００１６】
以下、本発明を実施することができる特定の実施例を、添付の図面を参照して説明する。本発明の範囲から逸脱することなく、他の実施例を用い、また、構成を変更することができることは、明らかである。
【００１７】
本発明の実施例は、メディアコンテンツアイテムを作成、編集、共有及び公開するメディアコンテンツ作成及び公開システム及び方法に関する。そして、具体的な実施例で、オンラインのメディアコンテンツアイテムの作成、編集、共有及び公開のためのブロードバンド創造性プラットホーム（broadband creativity platform）に関する。具体的な実施例において、ブロードバンド創造性プラットホームは、オンライン及びオフラインのメディアコンテンツアイテムの作成及び編集のために必要とされるデジタル資産及びツールをユーザに提供するウェブサイトとして実現され、ユーザ間の共有メディアコンテンツアイテム及びメディアコンテンツアイテムのオンライン公開のツールとして実現される。
【００１８】
本明細書中で用いる用語「デジタル資産（digital assets）」は、ユーザ自身のメディアの作成において、ウェブサイトのユーザによって利用できるようにされたメディアコンテンツを指すものである。本明細書中で用いる用語「メディアコンテンツ（media content）」及び「メディアコンテンツアイテム（media content item）」は、デジタルのビデオ、オーディオ、写真、図形、テキスト及びアニメーションを含む全ての形式の電子コンテンツ（すなわち電子形式で読み出し、処理することができるコンテンツ）を指すものである。ブロードバンド創造性プラットホームのウェブサイトの実施例は、これらに限定されるものではないが、以下の１つ以上の機能を提供する。
【００１９】
（１）プラットホームのユーザによって作成されたコンテンツと同様に、ウェブサイトのユーザが独立したソースより許可された創造的なメディアコンテンツを体験できる機能
（２）プラットホームのユーザが、メディア作品及びオンライン又はオフラインのコンテンツ、例えば、これらに限定されるものではないが、ビデオ及びオーディオセグメントを作成及び編集するためのツールにアクセスできる機能
（３）プラットホームにユーザが作成したコンテンツをアップロードできる機能
（４）ユーザが、プラットホームによって提供された記録領域にメディアコンテンツを格納及び管理できる機能
（５）ユーザウェブサイトの他のユーザとメディアコンテンツを共有できる機能
（６）ユーザが、ユーザに割り当てられたショーケースページ上にユーザコンテンツを表示し、プラットホームの他のユーザによって見ることができる機能
（７）プラットホームのメイン表示ページにユーザ作成のコンテンツを選択的に取り入れることができる機能。
【００２０】
システム及び方法の実施例は、コンピュータシステムのネットワークを用いる。ネットワークの構成要素は、これに限定されるものではないが、インターネットのようなワイドエリアネットワーク全体に亘って相互接続することができる。トップレベルにおいて、サーバネットワーク機器（「サーバ」）は、ブロードバンド創造性プラットホームの動作をサポートして、プラットホームのユーザによってアクセスすることができるデジタル資産及び他のメディアコンテンツを格納する。
【００２１】
ウェブサイトは、独立プロバイダからのデジタル資産及び他のメディアコンテンツを認可又は所有することができる。サーバは、ユーザが作成し、プラットホームにアップロードすることができるユーザ作成のコンテンツ用の記憶空間を確保する。ウェブサイトは、ホームページと、このホームページにルートで互いにリンクした多数の更なるウェブページのツリーとを含むことができる。ウェブサイトのページは、これらに限定されるものではないが、例えばユーザ設定（settings）ページ、ユーザプロフィールページ、ユーザショーケース（showcase）ページ、ユーザ伝記（biography、「人物紹介（bio）」）ページ、チャンネル（genre）ページ及び地域（zone）ページ等の様々な種類のページからなる。
【００２２】
また、ユーザは、これらに限定されるものではないが、オーディオポッパー、ビデオポッパー及びツールポッパーを含むポップアップスクリーン（「ポッパー」）の機能をページ内で起動し、視聴及び利用することができる。ユーザはウェブサイトのページの範囲内でリンクを辿ることにより、これらに限定されるものではないが、例えば検索ツール、プラットホームのメディアコンテンツに対する図形ガイド、仮想ボタン（指定された選択可能なアイコン又は領域）等のユーザが選択可能な操作子、メニュー、リスト等の様々なツールを用いることにより、ウェブサイトを介して閲覧することができる。
【００２３】
あらゆるソースからの、サイトの全てのメディアコンテンツアイテムは、「メタデータ」（すなわちユーザ又はウェブサイト管理者が入れることができるメディアコンテンツアイテムに関する記述データ）に関連させることができ、メタデータは、メディアコンテンツアイテムを編成及び管理するためにコンテンツ管理システム及び方法によって用いられる。例えば、ユーザは、メディアコンテンツアイテムのある判定基準、例えばこれらに限定されるものではないが、メディアコンテンツアイテムタイプ、メディアコンテンツアイテムキーワード及びメディアコンテンツアイテム作成者に基づいて、ウェブサイト上でメディアコンテンツアイテムを検索することができる。
【００２４】
ウェブサイトのホームページは、ウェブサイト上の他のページに対するリンクだけでなく、他のウェブサイトに対するリンクを含んでいる。ユーザは、お気に入りのリンクにアクセスし、追加、削除することによって、お気に入りのリンクを管理することができる。一実施例において、ホームページは、所望の機能を選択するためのユーザが選択可能な操作子を含むことができる。ホームページは、また、宣伝ページ、ポッパー、広告、ウェブサイト又は他の宣伝エンティティにリンクされたユーザが選択可能な宣伝領域（「宣伝（promotes）」）を含むことができる。
【００２５】
本発明の具体的な実施例に係るシステム及び方法は、登録してウェブサイトにログオンしたウェブサイトのユーザが利用できるデジタル資産及びツールがあるウェブサイトを用いることができる。
【００２６】
一実施例において、ユーザは、利用できるデジタル資産及びツールにアクセスするために署名する（例えば、料金を払う）ことができる。他の実施例において、デジタル資産及びツールの限定されたバージョンは、登録か未登録に関係なく、無料でウェブサイトのユーザに利用できるようにすることができる。これらのツールの完全版は、ウェブサイトから有料で購入するか、リースすることができる。
【００２７】
ある実施例において、メディア作成及び編集ツールは、ユーザ自身のメディアコンテンツアイテムをオンライン又はオフラインで作成及び編集するために、ユーザによってアクセスされ、ダウンロードされることができる。ウェブサイトユーザによって作成されるメディアコンテンツアイテムは、ユーザが利用できるようにウェブサイトにアップロードされ、記憶領域に格納されることができる。これらの格納されたメディアコンテンツアイテムは、これらに限定されるものでないが、格納されたメディアコンテンツアイテムを定義し、ソートし、検索し、共有し、削除する等様々な方法でユーザによって、管理されることができる。また、ウェブサイトは、ユーザに予め定義されたスタイルのテンプレートで本コンテンツをプラットホームの他のユーザに表示する「ショーケースページ」を提供する。ショーケースページは、プラットホームの他のユーザが見ることができる。ショーケースページは、ユーザが個人及び他の情報を他のユーザに表示するユーザ（バイオグラフィページ）にリンクすることができる。ユーザのショーケースページ上で表示されるメディアコンテンツアイテムが特に優れている（compelling）とき、ウェブサイト管理者は、ユーザがアクセスできない管理ツールを用いて、ウェブサイトのメインの表示ページにユーザのショーケースページ上で表示されるメディアコンテンツアイテムを「取り込む（ingest）」という選択肢を選択してもよい。これらの管理ツールは、ウェブサイト管理者及びプログラマによるウェブサイトの管理を容易にする。
【００２８】
一実施例において、ホームページは、ウェブサイト上のメディアコンテンツを「体験する」、「作成する」、「接続する」からなる選択肢をユーザに提供するユーザが選択可能な操作子を含んでいる。ユーザは、自身の目的に従い、これらの３つの操作子のうちの１つを選択することができる。ユーザがメディアコンテンツを「体験する」ことを選択したとき、ユーザは、ウェブサイトのユーザによって作成されたメディアコンテンツだけでなく、独立したソースから許可されたメディアコンテンツを、体験する（すなわち見る、聞く、又は認識する）ことができる。
【００２９】
一実施例において、ユーザがメディアコンテンツを体験することを選択したとき、それぞれが特別なチャンネルのホームページにリンクした、ユーザが選択可能な様々な操作子を選択する更なる選択肢を、ユーザに表示するようにしてもよい。あるチャンネルのホームページは、特別のジャンルのメディアコンテンツ（例えばコメディ、ドラマ、アクション、空想科学小説、ホラー又は音楽）が表されるメインページである。このメインページは、他のページにリンクする、又はユーザにメディアコンテンツを表示するプロモートを含んでいる。ユーザがメディアコンテンツを「作成する」ことを選択したとき、ユーザは、メディアコンテンツを作成及び／又は編集するメディア作成及び編集ツールへのアクセスが提供される。また、ユーザは、デジタル資産が１つかそれ以上の「資産パック（asset packs）」の形で提供されてもよい。これらの資産パックは、例えば、ユーザ自身のメディアコンテンツに組み込まれ、又は組み合わせられるビデオ、オーディオ及びアニメーションの部分を含むことができる。
【００３０】
例えば、各資産パックは、特定のジャンルに関連したオーディオ及びビデオの部分を含んでいてもよい。例えば、「アクション」資産パックは、爆発、カーチェイス及び銃撃戦のビデオ及び／又はオーディオの部分を含んでいてもよい。同様に、「コメディ」資産パックは、独演コメディアンのビデオ及び／又はオーディオ部分、テレビジョン及びラジオショーからの寸劇及びコメディ映画からの場面を含んでいてもよい。
【００３１】
更なる実施例として、「音楽」資産パックは、ポピュラー音楽のグループによって演奏される音楽のビデオ及び／又はオーディオ部分を含んでいてもよい。メディア作成及び編集ツールを用いて、例えば、ユーザは、ビデオ、アニメーション、オーディオでの他のデジタルメディアを所定のテンプレート及びスケジュールに挿入することができる。
【００３２】
チャンネルホームページは、そのチャンネルホームページ上のジャンルと関連したデジタル資産に接続させるユーザが選択可能な操作子を含むことができる。したがって、例えば、ユーザはアクションチャンネルホームページを経験することができ、そして、ユーザをアクション資産パックに接続させることができるそのページ上の作成されたユーザが選択可能な操作子を選択することができる。
【００３３】
上述のように、アクション資産パックは、これらには限定されるものではないが、爆発、カーチェイス及び戦闘シーン含むアクションシーンの、例えばビデオ、オーディオ及びアニメーションの部分を含むことができる。そして、ユーザは、ユーザ自身の作品中のアクション部分を用いることができる。例えば、ユーザが、自転車から子供が落ちる映像を有しているとする。ユーザは、ユーザのビデオで子供が落ちるその瞬間に、ウェブサイトから得られる爆発のビデオ部分を挿入することができる。そして、以下に記載するとおり、ユーザは、ウェブサイト上のユーザ自身のユーザショーケースページ上でこのビデオを表示することができる。ユーザが「接続」メディアコンテンツを選択すると、ユーザには、例えば、メディアコンテンツ（メタデータ）に関する情報を入力することができるアップロードページ又はポッパーが表示される。そして、メディアコンテンツは、ウェブサイト上のユーザのショーケースページにアップロードされる。
【００３４】
一実施例において、「ユーザ名（USERNAME）」に続いてウェブサイトのユニフォームリソースロケータ（Uniform Resource Locator：ＵＲＬ）を入力することによって、ユーザショーケースページにアクセスすることができ、ここで、「ユーザ名」は、ショーケースページに関連したユーザに固有の名称である。特定のユーザショーケースページは、ウェブサイトのＵＲＬの後ろにそのユーザ名を入力することにより、ウェブサイトの他のユーザにアクセスできることができる。このように、ユーザは自身の創造的なメディアコンテンツを表示するショーケースページを持つこと及び他のユーザのショーケースページに検索及びアクセスすることができることによってウェブサイトの他のユーザと接続することができる。
【００３５】
システムハードウェア環境
図１は、具体的なクライアントサーバ環境１００、例えばワールドワイドウェブ（ウェブ）の構成を示す図である。この環境１００において、メディアコンテンツ作成及び公開システム及び方法を実現することができる。このウェブのアーキテクチャは、周知のクライアント−サーバモデルに従っている。
【００３６】
用語「クライアント」及び「サーバ」は、データ（クライアント）の要求又はプロバイダのデータ（サーバ）の提供として、コンピュータの全体的な役割を指すために用いられる。また、このクライアントは、ユーザネットワークデバイス（User Network Device：以下、ＵＮＤという。）１０２及びハイパーテキストトランスファープロトコル（HyperText Transfer Protocol：以下、ＨＴＴＰという。）のようなプロトコルを使用して通信するウェブサーバ１０４を指す。ウェブ環境において、ウェブブラウザはクライアントに存在し、ウェブサーバによって供給されるウェブドキュメント（ページ）を提供する。クライアント／サーバモデルは、ＵＮＤ１０２及びウェブサーバ１０４間の情報の伝達に使用される。ウェブサーバ１０４は、ネットワーク１１０（例えばインターネット）に接続されおり、そして、ウェブクライアントからの他の問合せ及び／又はドキュメント要求に応答する。
【００３７】
他の実施例として、他のネットワークを用いてもよい。ウェブサイトのメインページに関するイベント及び作業の実際の手順は、具体例によって異なるが、一具体例においては、ユーザは、例えば、ネットスケープナビゲータ（Netscape Navigator）又はインターネットエクスプローラ（Internet Explorer）等のウェブブラウザを用いて、最初にウェブサイトに接続する。そして、ユーザは、利用者識別名及びパスワードでウェブサイトにログインし又はゲストとしてログインすることができる。また、新規のユーザは、利用者識別名及びパスワードを特定するためにウェブサイトで登録処理を行うことができる。ログイン処理及び登録の間、メインのウェブサイトは、ユーザのインタラクションのための妥当なサポート（例えば、使用する最適の帯域幅の決定）を提供するために、ユーザのプロセッサ又はコンピュータシステムに関する情報を読み出すことができる。ユーザが、そのＵＲＬを送信することによってドキュメントを選択すると、ウェブブラウザは、ウェブサーバ１０４への接続を開始し、ドキュメントの要求を始める（例えば、ＨＴＴＰを得る）。
【００３８】
ウェブサーバ１０４は、一般的にハイパーテキストマークアップランゲージ（HyperText Markup Language：以下、ＨＴＭＬという。）等の標準マークアップ言語又はダイナミックＨＴＭＬ（Dynamic HTML：以下、ＤＨＴＭＬという。）でコード化されたテキストドキュメントの形で要求されたドキュメントを配信する。更に、ウェブサイトページは、Ｊａｖａ（登録商標）、ＪａｖａＳｃｒｉｐｔ、フラッシュ又は他のどの適切なプログラミング又はスクリプト言語でコード化してもよい。ＵＮＤ１０２は、これらに限定されるわけではないが、例えば、デスクトップコンピュータ、ワークステーション、ラップトップやメインフレームコンピュータ以外のコンピュータ装置を始めとするいかなる種類の機器であってもよい。更なる変形例として、携帯電話、個人情報携帯端末、メディアプレイヤのためのインタフェース及び衛星経由のダウンロードのためのインタフェースを実現してもよい。各ＵＮＤ１０２に１以上のユーザ（図示せず）を関連付けてもよい。デジタルコンテンツをユーザが認識できるメディアコンテンツに変えるために、ＵＮＤ１０２は、更に、ソフトウェア、ハードウェア、ファームウェア又はその組合せを含んでもよい。
【００３９】
ＵＮＤ１０２がサーバ１０４に接続されると、ＵＮＤ１０２には、ウェブサイトがユーザインタフェースとして表示され、これによりユーザは、サーバ１０４から、ユーザによって認識できる情報を受け取ることができ、及びサーバ１０４に対して、以下に限定されるわけではないが、メディアコンテンツのダウンロード又はアップロードを要求し、若しくは、更なるページ、ポッパー又は他のウェブサイトへのリンクを要求することができる。また、ウェブサーバ１０４は、これらに限定されるわけではないが、デスクトップコンピュータ、ワークステーション、ラップトップやメインフレームコンピュータを始めとする、いかなる種類のコンピュータ装置であってもよい。
【００４０】
ウェブサイトの具体例においては、サーバ１０４は、ウェブサイトコンテンツを格納する記憶装置１０８を備え、又は記憶装置１０８と連携して動作する。ウェブサイトコンテンツは、テキスト、画像、デザイン、又は、以下に限定されるわけはないが、ショーケースページ、ユーザバイオグラフィページ、チャンネル（ジャンル）ページ、ゾーンページ及びポッパーを含む１以上のウェブサイト要素からなるこの他の情報を作成又は生成するためのデータを含む。
【００４１】
ここに開示されるシステム及びデバイスの機能、並びに処理は、マシンによって実行可能な命令として実現することができる。これらの命令を有するソフトウェアにより、汎用プロセッサ又は特定用途プロセッサをプログラミングし、ここに説明する機能及び処理をこれらのプロセッサに実行させることができる。或いは、この機能及び処理はファームウェア、ハードワイヤードロジックを備えているハードウェア又はこれらの任意の組合せによっても実現することができる。
【００４２】
一具体例においては、ユーザに対し、コンピュータ（又は上述したこの他のＵＮＤ）をプログラミングし、本発明に基づくメディアコンテンツアイテムの作成、編集、共有、公開に関する処理をＵＮＤに実行させるソフトウェアを格納するマシンにより読取可能な媒体を備えるコンピュータプログラム製品を提供する。マシンにより読取可能な媒体は、以下に限定されるわけではないが、フロッピー（登録商標）ディスク、光ディスク、ＣＤ―ＲＯＭ、光磁気ディスク、ＲＯＭ、ＲＡＭ、ＥＰＲＯＭ、ＥＥＰＲＯＭ、磁気又は光カード、フラッシュメモリ、又は電子的命令の格納に適する他の種類のメディア／マシンにより読取可能な媒体を含む。
【００４３】
本発明の他の具体例においては、ＵＮＤは、コンピュータプログラム製品としてＵＮＤにダウンロードされたソフトウェアによってプログラミングされる。このソフトウェアは、例えば、メディア作成及び編集ツールであり、通信リンク（例えば、モデム又はこの他の有線又は無線リンク、衛星信号受信機、又はこの他の放送信号受信機等）を介して、搬送波又は他の伝送媒体によって表されたデータ信号として、リモートのプロセッサ（例えば、サーバ）から要求を行ったプロセッサ（例えば、ＵＮＤ）に、ダウンロード又は転送してもよい。
【００４４】
メディアコンテンツ作成及び編集処理
ユーザは、ＵＮＤ１０２を用いて、インターネットを介してウェブサイトに接続してもよい。一具体例においては、ＵＮＤ１０２は、標準的なウェブ閲覧ソフトウェアを備え、これによりウェブサイトに接続し、ウェブサイトとインタラクトする。他の具体例においては、ＵＮＤ１０２において、サーバ１０４とインタラクトするためにカスタマイズされたソフトウェア、ハードウェア、ファームウェア、又はこれらの組み合わせを採用してもよい。ユーザは、例えば、ウェブサイトに関連付けられたアドレス又はＵＲＬによって、ウェブサイトに接続してもよい。一具体例においては、ユーザがウェブサイトに関連付けられたアドレス又はＵＲＬに接続すると、ユーザには、図２に示すようなウェブホームページ２００が表示される。
【００４５】
幾つかの具体例においては、ある種の条件下で、ウェブサイトホームページ２００に辿り着く前に、登録及びログイン操作がユーザに要求されることもある。ウェブサイトホームページ２００（及び、後述する他のページ）によって、ユーザは、メディアコンテンツを体験し、作成し、及びメディアコンテンツに接続することができる。ウェブサイトコンテンツ及びウェブサイトページ上のウェブサイトコンテンツの構成は、具体例に応じて異なる。
【００４６】
例示的に示すウェブサイトホームページ２００は、コンテンツ領域２０２と、「体験（experience）」チャンネル領域２０４（メディアコンテンツのジャンルを選択するためのユーザ選択操作子２１０（アクション）、２１２（コメディ）、２１４（ドラマ）、２１６（音楽）、２１８（サイエンスフィクション）を含む）と、「作成」ユーザ選択操作子２０６と、「接続」ユーザ選択操作子２０８と、インタラクティブ広告スペース２２０と、メニュー領域２２２とを備える。コンテンツ領域２０２は、これらに限定されるものではないが、ビデオセグメント、静止画像、写真、アニメーション、グラフィクス等のメディアコンテンツアイテムを表示する。コンテンツ領域２０２は、プロモート（promote）を有していてもよく、これにより、ユーザは、他のウェブサイトに接続することに加えて、ウェブサイト内の他のページ又はポッパーに接続することができる。
【００４７】
メニュー領域２２２は、マウスを介して、又は他の手法によってユーザに選択されるとポップアップメニューを表示し、ユーザが選択できる更なる機能を表示するメニューアイテムを含む。インタラクティブ広告スペース２２０は、企業、サービス、製品に関する広告をユーザに表示する。インタラクティブ広告スペース２２０は、所定の間隔でスクリーン内及びスクリーン外にスライド及び／又は例えばスクリーンの周囲に沿って表示されるタブをクリック等によって選択するといった、ユーザによる何らかの操作によりスクリーン上に現れるブロードバンド広告ユニットを含んでいてもよい。メニュー領域２２２は、以下に限定されるわけではないが、「お気に入り（favorites）」（ユーザが興味を持ち、ユーザが以前にお気に入りに指定した領域、ページ又はメディアコンテンツアイテムへのリンク）、「マイスタッシュ（My Stash）」（ウェブサイトによってユーザに提供された保存領域（スタッシュ）に、ユーザが以前に保存したメディアコンテンツへのリンク）、「ログイン（Log in）」（ユーザがウェブサイトにログインするためのログインページへのリンク）、「検索（search）」（ユーザが定義した条件により検索を行うことができる検索ページへのリンク）、「設定（settings）」（例えばユーザのパスワード及びユーザ名等の設定を入力及び編集するための設定ページへのリンク）、「アバウト（about）」（ウェブサイトに関する情報をユーザに提供するアバウトページ）、「ショップ（shop）」（ウェブサイト又は独立した業者によって提供される商品をユーザ購入することができるショッピングページへのリンク）等を含む。
【００４８】
ユーザが体験チャンネル領域２０４内のユーザ選択操作子をクリック又はその他の操作によって選択すると、ユーザは、選択したユーザ選択操作子に対応するチャンネルページに接続することができる。例えば、ユーザが「アクション」ユーザ選択操作子を選択すると、図３に示すように、ユーザには、アクションチャンネルホームページ３００が表示される。アクションチャンネルホームページ３００は、ホームページ２００の具体例と同様に、コンテンツ領域３０２と、「体験（experience）」チャンネル領域３０４（メディアコンテンツのジャンルを選択するためのユーザ選択操作子３１０（アクション）、３１２（コメディ）、３１４（ドラマ）、３１６（音楽）、３１８（サイエンスフィクション）を含む）と、「作成」ユーザ選択操作子３０６と、「接続」ユーザ選択操作子３０８と、インタラクティブ広告スペース３２０と、メニュー領域３２２とを備える。コンテンツ領域２０２は、アクションジャンルに関連するメディアコンテンツを表示する。例えば、ここには、コンテンツ領域３０２において視聴可能なアクション映像セグメントを表示してもよい。
【００４９】
これに代えて、又はこれに加えて、コンテンツ領域３０２には、以下に限定されるものではないが、ユーザが作成したメディアコンテンツ内で使用するために、ユーザがダウンロードし、編集できるアクションデジタルパケットをユーザに提供するプロモート（promote）等を表示してもよい。コンテンツ領域３０２は、ユーザをアクションテーマによる他のウェブサイト又はウェブサイトの中の他のアクション関連した商品のショップページにリンクするプロモートを備えることができる。インタラクティブ広告スペース３２０及びメニューエリア３２２は、ホームページ２００に関連して先に説明したもとの同じ機能を提供することができる。
【００５０】
チャンネルホームページ３００は、例えば、「バック」ユーザ選択操作子３２４及び「モア」ユーザ選択操作子３２６等のユーザ選択可能な補足的な操作子を更に備える。「バック」ユーザ選択操作子３２４により、ユーザは、先に閲覧したページに容易に戻ることができる。「モア」ユーザ選択操作子３２６により、ユーザは、ウェブサイトグラフィカルガイドに接続でき、ウェブサイトグラフィカルガイドは、ユーザに対し、特定のチャンネルホームページのジャンルに関連する、ウェブサイト上で利用可能なメディアコンテンツを表示する。チャンネルホームページ３００は、ユーザがユーザのお気に入りリストにチャンネルホームページ３００を追加し、及び友人にチャンネルホームページ３００にリンクを送信することができるユーザが選択可能なメニュー３２８を更に備えていてもよい。更に、チャンネルホームページ３００は、例えば、プロモーションの映像又はテキストの形式で存在できる及び例えば、ユーザを追加のアクション関されたページ、ポッパー又はウェブサイトにリンクすることができる機能リンク３３０を備えていてもよい。
【００５１】
幾つかの具体例においては、ユーザが選択可能な操作子のジャンルを選択する（例えば、マウスカーソルで）と、ユーザに対して、クリック又はユーザが選択することができるジャンルゾーンページのリストが表示される。ジャンルゾーンページは、特定のジャンル、例えば、アクションショーと一致するユーザに利用可能な特定のショー又は他のイベントである。リスト３３２は、このジャンルゾーンページリストの一例である。ユーザが体験領域３０４にある「アクション」ユーザ選択操作子３１０を選択すると、リスト３３２が表示される。リスト３３２には、ユーザが選択して体験することができる３個のアクションに関連するショーが示されている。ユーザがホームページ２００上の「作成」ユーザ選択操作子２０６、又はホームページ３００上の「作成」ユーザ選択操作子３０６を選択すると、ユーザは、図４に示す作成チャンネルページ４００又はこれに類似する作成チャンネルページに接続される。
【００５２】
作成チャンネルページ４００は、ホームページ２００及びアクションチャンネルホームページ３００の具体例と同様に、コンテンツ領域４０２と、「体験（experience）」チャンネル領域４０４（メディアコンテンツのジャンルを選択するためのユーザ選択操作子４１０（アクション）、４１２（コメディ）、４１４（ドラマ）、４１６（音楽）、４１８（サイエンスフィクション）を含む）と、「作成」ユーザ選択操作子４０６と、「接続」ユーザ選択操作子４０８と、インタラクティブ広告スペース４２０と、メニュー領域４２２とを備える。インタラクティブ広告スペース４２０及びメニュー領域４２２は、ホームページ２００及びチャンネルホームページ３００に関連して上述したものと同様の機能を有する。コンテンツ領域４０２は、アクションジャンルに関連するメディアコンテンツを表示する。
【００５３】
例えば、ここには、コンテンツ領域４０２において視聴可能なアクション映像セグメントを表示してもよい。更に、作成チャンネルページ４００は、例えば、プロモート４２４、４２６、４２８等、ユーザをメディア作成及び編集ツールにリンクするユーザが選択可能なプロモートを備えていてもよい。メディア作成及び編集ツールに加えて、作成チャンネルページ４００は、更に、資産パック４３０、４３２等、ユーザが選択可能な資産パックを備える。作成チャンネルページ４００上に設けられているプロモート及び資産パックは、いずれも、ユーザによりアクセス及び／又はダウンロードされ、「個人用のメディアコンテンツ」（すなわち、ユーザによって選択され、作成され、編集されたメディアコンテンツアイテム）を作成するために用いることができる。ユーザがメディア作成及び編集ツール又は資産パックにアクセスすると、ユーザは、このツール又は資産パックをオンラインで使用することができる。
【００５４】
図５は、ツールアプリケーションページ５００を示している。ツールアプリケーションページ５００は、ホームページ２００、アクションチャンネルホームページ３００及び作成チャンネルページ４００の具体例と同様に、コンテンツ領域５０２と、「体験する（experience）」チャンネル領域５０４（メディアコンテンツのジャンルを選択するためのユーザ選択操作子５１０（アクション）、５１２（コメディ）、５１４（ドラマ）、５１６（音楽）、５１８（サイエンスフィクション）を含む）と、「作成する」ユーザ選択操作子５０６と、「接続する」ユーザ選択操作子５０８と、インタラクティブ広告スペース５２０と、メニュー領域５２２とを備える。インタラクティブ広告スペース５２０及びメニュー領域５２２は、ホームページ２００、チャンネルホームページ３００及び作成チャンネルページ４００に関連して上述したものと同様の機能を有する。
【００５５】
一具体例においては、ユーザがツールアプリケーションページ５００内の体験領域５０４内の「ジャンル」ユーザ選択操作子を選択すると、ユーザは、このツールによって以前に作成されたそのジャンルのメディアコンテンツを体験することができる。同様に、ユーザが「接続する」ユーザ選択操作子５０８を選択すると、ユーザは、例えば他のユーザとツールについて議論し、そしてツールに対する評価を閲覧することができるページに接続される。ツールアプリケーションページ５００は、デジタルメディア編集アプリケーション５０２等のメディア作成及び編集ツールをユーザに提供する。後により詳細に説明するように、デジタルメディア編集アプリケーション５０２により、ユーザは、オーディオ及び／又はビデオ要素を作成及び／又は編集し、これをユーザのスタッシュに保存し、及びユーザのショーケースページにロードすることができる。ツールアプリケーションページ５００は、更に、ツールプロモート５２４、５２６、５２８等、更なるツールのためのプロモートを備えていてもよい。ツールアプリケーションページ５００は、資産パックプロモート５３０、５３２等の更なる資産パックのためのプロモートを備えていてもよい。更に、ツールアプリケーションページ５００は、追加的なメディア作成及び編集機能を含むツールポッパーをアクティブ化（起動（launch））するユーザ選択操作子を備えていてもよい。
【００５６】
幾つかの具体例において、デジタルメディア編集アプリケーション５０２は、タイムラインを提供することにより、個人用のメディアコンテンツの作成を容易にする。タイプラインを用いて、ユーザは、既存のデジタルビデオ及び／又はオーディオセグメントに対してドラッグアンドドロップ操作を行い、連続的なビデオ及び／又はオーディオシーケンスを作成することができる。
【００５７】
このようなタイムラインの具体例を図６に示す。図６に例示的に示すデジタルメディア編集アプリケーション６００は、ユーザに対し、複数（本具体例では５個）の空のメディアコンテンツ「コンテナ（container）」を備えるタイムライン６０２を提供する。上述のように、これらのメディアコンテンツコンテナは、例えばドラッグアンドドロップ操作により、既存のデジタルビデオ及び／又はオーディオセグメント６０４、６０６、６０８、６１０、６１２、６１４、６１６、６１８、６２０、６２２、６２４、６２６、６２８、６３０、６３２をメディアコンテンツコンテナにコピーすることができる。特定のセグメントは、例えばドラムビート（drumbeat）又は映画からのビデオクリップ等のオーディオ又はビデオフラグメントを含んでいてもよい。
【００５８】
図７は、セグメントがコピーされた後のタイムライン６０２を示している。図７に示すように、タイムライン６０２のメディアコンテンツコンテナ１には、オーディオセグメント６０４のコピーが配置されている。同様に、メディアコンテンツコンテナ１〜５には、それぞれオーディオセグメント６１０、オーディオセグメント６０８、ビデオセグメント２７６、オーディオセグメント６１２が配置されている。
【００５９】
一具体例においては、タイムライン６０２は、ユーザのスタッシュに単一のファイルとして保存され、このスタッシュから、ユーザのショーケースページにロードしてもよい。ユーザが複数のセグメントをタイムライン６０２にドラッグアンドドロップできるようにすることにより、デジタルメディア編集アプリケーション６００は、ユーザによる個人用のメディアコンテンツの作成を容易にする。
【００６０】
幾つかの具体例においては、メディアコンテンツのオンラインでの作成に加えて、ウェブサイトのユーザは、ウェブサイトからユーザのＵＮＤにデジタル資産パックとともにメディア作成及び編集ツールをダウンロードし、オフラインでメディアコンテンツの作成を行ってもよい。このダウンロードは、例えば図８に示すダウンロードツールページ８００を用いて行うことができる。
【００６１】
ウェブサイトのユーザは、例えば、他のページ又はポッパー上に表示されている、このページへのプロモートをクリック又はその他の操作によって選択することにより、例示的なダウンロードツールページ８００に接続することができる。ユーザは、更に、ガイドが表示され、ユーザが資産パック又はツールに関する「ダウンロード情報を見る」機能を選択した場合もこのダウンロードツールページ８００に接続される。更に、ユーザが特定の資産パック又はツールを検索し、検索結果を示すページから「ダウンロード情報リンク」を選択した場合も、ダウンロードツールページ８００に接続される。更に、幾つかの具体例においては、ユーザは、資産パックに関するポッパーが表示され、ユーザが「情報を見る」機能を選択した場合にも、ダウンロードツールページ８００に接続される。ダウンロードツールページ８００により、ユーザは、メディア作成及び編集ツール又はこのようなツールの組に関する情報を閲覧し及び／又はダウンロードすることができる。
【００６２】
プロモート画像８０２は、ユーザがダウンロードツールページ８００にリンクするために選択したプロモート画像と同じ画像を表示してもよい。また、一具体例においては、プロモート画像８０２には、いかなる機能を有していなくてもよい。資産及びツールリスト８０４は、ユーザが更なる情報を希望し及び／又はユーザがダウンロードすることを希望するツールの組を構成する資産及び／又はツールのリストである。
【００６３】
資産及びツールリスト８０４の近傍には、資産及びツールリスト８０４に関する情報を提供するユーザにより選択可能なタブが表示されている。ユーザがコンテンツタブ８０６を選択すると、資産及びツールリスト８０４内の選択された資産又はツールのコンテンツのリストがユーザに表示される。同様に、ユーザが説明タブ８０８を選択すると、選択された資産又はツールに関する説明がユーザに表示される。ユーザがクレジットタブ８１０を選択すると、例えば、資産又はツールの作成者等の名称のリストがユーザに表示される。更に、資産パック又はツールにチュートリアルが含まれている場合、ユーザは、チュートリアルタブ８１２を選択することにより、チュートリアルに関する情報を閲覧することができる。ファイルサイズ８１４は、資産及びツールリスト８０４内の各資産パック又はツールのファイルサイズを示している。ユーザは、資産パック又はツールに対応するダウンロード操作子８１６を選択することにより、資産及びツールリスト８０４から個々の資産パック又はツールを選択してダウンロードすることができる。更に、資産及びツールリスト８０４内の選択された資産パック又はツールに関する要約及び著作権情報８１８をユーザに表示してもよい。
【００６４】
一具体例においては、ユーザは、「全てをダウンロードする」操作子８２０又は「全てをプレビューする」操作子８２２を選択することにより、資産及びツールリスト８０４内の全ての資産パック及び／又はツールをダウンロード又はプレビューすることができる。ユーザが「全てをプレビューする」操作子８２２を選択すると、メディアポッパーが起動され、資産及びツールリスト８０４内の資産のストリームがユーザに表示される。関連リンクセクション８２４により、ユーザは、ページ及びポッパー等、ウェブサイトの関連する領域に素早くリンクすることができる。
【００６５】
「体験関連リンク（experience related link）」により、ユーザは、関連するメディアコンテンツを体験できるページにリンクすることができる。「作成関連リンク（create related link）」により、ユーザは、より関連性が高いメディア作成及び編集ツールにリンクすることができる。「接続関連リンク（connect related link）」により、ユーザは、例えば、選択された資産パック又はツールによって他のユーザが作成したメディアコンテンツを見ることができる。「購買関連リンク（buy related link）」により、ユーザは、例えば資産パック又はツールの完全なバージョンを購入するためのページにリンクすることができる。「チェックアウトモア（check out more）」により、ユーザは、関連するトピックを含むガイドの部分にリンクすることができる。
【００６６】
一具体例においては、ユーザが「ダウンロード」操作子８１６又は「全てをダウンロードする」操作子８２０を選択すると、ウェブサイトは、ユーザがウェブサイトにログインしているか否かを確認する。ユーザがログインしていない場合、ユーザログインページが起動され、ユーザはログイン操作を行う。ユーザがウェブサイトにログインすると、ユーザに対し、ユーザのＵＮＤに資産パック又はツールを保存するか否かが確認される。この情報がユーザによって入力されると、ダウンロードが開始され、資産パック又はツールがユーザのＵＮＤ又はユーザが指定したストレージ機器に保存される。これにより、ユーザは、オフラインで資産パック又はツールを用いてメディアコンテンツを作成及び／又は編集することができるようになる。
【００６７】
ユーザがメディアコンテンツをオンラインで作成しているかオフラインで作成しているかに関わらず、ユーザは、このメディアコンテンツをユーザのスタッシュに保存することができる。ユーザのスタッシュは、ユーザがウェブサイトに登録したときに、ユーザに割り当てられる。ユーザがメディアコンテンツをオフラインで作成する場合、ユーザは、ユーザのスタッシュにメディアコンテンツをアップロードする。
【００６８】
メディアコンテンツストレージ及びマネージメント
実施例において、ブロードバンド生成プラットホームは、個人のメディアコンテンツ（personalized media content）（例えば、図１における記憶装置１０８として提供される場所）のためのストレージ領域をユーザに提供する。ユーザは、例えば、５０メガバイト（Ｍｂ）のストレージ容量が割り当てられ、このストレージ容量は、本実施例ではユーザのスタッシュとして示されている。このスタッシュは、ユーザのメディアコンテンツの格納場所として提供されている。一実施例において、スタッシュ内では、全ファイル形式が適応される。ユーザのスタッシュに格納されるファイルは、非公開であり、ウェブサイト上の他のユーザによって閲覧又はアクセスできない。ユーザがメディアコンテンツをスタッシュに格納すると、ユーザは、以下に限定されないが、スタッシュ内のファイルを閲覧すること、編集すること（例えば、ファイルのタイトルを変更すること）消去すること、及びスタッシュからユーザショーケースページを含む他の場所にファイルをアップロードすることなどを含む様々な用途に使用することができる。
【００６９】
ウェブサイトは、ユーザがユーザのスタッシュを使用できる「スタッシュマネージャページ」を含んでいる。ユーザは、以下に限定されないが、他のページ、ポッパー、ウェブサイトに用意された全体検索メニューにおいて使用できる適切なユーザ選択操作子を選択すること（例えば、「スタッシュマネージャ」ユーザ選択操作子）を含む様々な手法でスタッシュマネージャページにアクセスできる。
【００７０】
一具体例として、ユーザが適切なユーザ選択操作子を選択すると、ウェブサイトは、ユーザがウェブサイトにログインされたかを照合する。ユーザがログインしていない場合、ユーザがログインするためのログインページが起動される。ユーザがウェブサイトにログインすると、ユーザは、スタッシュマネージャページにアクセスする。
【００７１】
図９には、典型的なスタッシュマネージャページ９００が示されている。ユーザ名は、スタッシュマネージャページ９００のテキストエリア９０２に表示される。テキストエリア９０２は、定型である（すなわち、文字に関連した機能はない。）。
【００７２】
具体例としては、登録時にユーザによってユーザ名が選択される。スタッシュマネージャページ９００は、ディレクトリ形式によってユーザのスタッシュにあるコンテンツをあげる。ファイル作成日９０６、ファイルサイズ（Ｍｂ表示）９０８、及びファイルの特徴タイプ９１０（すなわち、オーディオ又はビデオ）の順にファイル名９０４が表示される。加えて、以下に限定されないが、特定ファイルに関連したチェックボックス、及びユーザが消去、共有、指定されるファイルに対するその他の機能を希望することを示すために選択されるチェックボックスのような選択可能なグラフィックインジケータが表示される。
【００７３】
例えば、スタッシュマネージャページ９００は、ユーザが削除に関連したファイルに印を付けることができる「消去」チェックボックス９１２を含んでいる。また、スタッシュマネージャページ９００は、ユーザが共有（詳細は後に説明する。）に関連したファイルに目印を付けることができる「共有」チェックボックス９１４を含んでいる。ファイルは、ユーザが「変更保存（save changes）」ユーザ選択操作子９１６を選択することにより処理を完結させ変更が許可されるまで、消去又は共有することができない。一覧表示されるファイルにおいてリストにあげられた各ファイルの関連を示すものには（Associated with each file listed in the file listing）、そのファイルがユーザショーケースとされる（詳細は後に説明する。）か又は共有されるかを示すインジケータ９１８がある。
【００７４】
更に、リストにあげられた各ファイルの関連を示すものには（Associated with each file listed in the file listing）、ファイル（例えば、「.aif,」ファイル、「.wav,」ファイル、「.au,」ファイル、「.ra,」ファイル、「.rm,」ファイル、「.wmv,」ファイル、「.asf,」ファイル、「.swf,」ファイルがある。）が再生可能であることを表示する「再生」ユーザ選択操作子９２０がある。再生ボタン９２０は、再生できないファイル（例えば、「.acd,」ファイル、写真及びドキュメントファイル）に対しては表示されない。ユーザにより選択可能な「マイショーケース」リンク９２２は、ストラッシュマネージャページ９００に用意されており、これによりユーザは、ウェブサイト上のユーザショーケースページ（user's showcase page）（詳細は後に説明する。）にリンクすることができる。同様に、ユーザ選択「人物紹介（My Bio）」リンク９２４が用意され、ユーザはウェブサイト上のユーザ人物紹介にリンクできる。加えて、ユーザ選択「共有」リンク９２６が用意され、ユーザはウェブサイト上の「共有ページ」（詳細は後に説明する。）にリンクできる。また、スタッシュマネージャページ９００は、ユーザのスタッシュにおけるストレージ容量残量をユーザに示している。「利用可能容量（Space available）」エリア９２８は、そのために設けられている。「利用可能容量」エリア９２８は、定型（static）文字を含んでいる。
【００７５】
最初に（すなわち、ユーザファイルが格納される前に）、メッセージは、ウェブサイトにおいてユーザに割り当てられた最大容量としての値（例えば、５０Ｍｂ）を示している。このメッセージに示された値は、スタッシュにファイルをアップロードするたび、又はスタッシュからファイルが削除されるたびに更新される。ウェブサイトは、スタッシュにアップロードを許可する前にこの値が最大容量を超過しないようにチェックしている。また、スタッシュマネージャページ９００は、ユーザが自分のスタッシュにファイルをアップロードするための「アップロード」ユーザ選択操作子９３０を含んでいる。ユーザによって「アップロード」ユーザ選択操作子９３０が選択されると、図１０に示すように、「ファイルをスタッシュにアップロード（Upload File To Stash）」ポップアップウィンドウ１０００がスタッシュマネージャページ９００内に起動される。
【００７６】
ファイルをスタッシュにアップロードするための典型的なポップアップウィンドウ１０００は、ユーザがアップロードを希望するユーザのＵＮＤにメディアコンテンツの一部を格納するための「ブラウズ」ユーザ選択操作子１００２を備えている。
【００７７】
ユーザが所望のコンテンツの一部を選択し選択事項を確定すると、「ファイルパス（File Path）」テキストボックス１００４には、選択されるファイルのファイルパスが入る（populated ）。「名称」フリーテキスト入力ボックス（free text entry box）１００６には、ユーザが選択されるファイルに関する所望の名称を入力することができる。これは、ユーザのスタッシュ内にあるファイル名である。「継続」ユーザ選択操作子１００８により、ユーザは、アップロード処理を開始することができる。
【００７８】
具体例では、ウェブサイトは、スタッシュがアップロードされたファイルに対する許容容量を有しているかを照合する。スタッシュに十分な容量があれば、ウェブサイトは、ユーザのスタッシュにファイルを格納する。十分な容量がない場合、ユーザにエラーメッセージが提示される。或いは、ユーザがアップロード処理の中断を選択するのであれば、ユーザは、「取消」ユーザ選択操作子１０１０を選択してもよい。ユーザが「取消」ユーザ選択操作子１０１０を選択すると、スタートマネージャページ９００に戻る。また、ユーザが「継続」ユーザ選択操作子１００８を選択すると、図１１に示すように、「あなたのファイルについての詳細（Details About Your File）」ポップアップウィンドウ１１００がスタッシュマネージャページ９００内に起動される。
【００７９】
ユーザによって、ファイルをスタッシュにアップロードするためのポップアップウィンドウ１０００の名称フリーテキスト入力ボックス１００６に入力されたファイル名は、「あなたのファイルについての詳細（Details About Your File）」ポップアップウィンドウ１１００の文字エリア１１０２に表示される。文字エリア１１０２は、定型であってもよい。「作者及びアーティスト」フリーテキスト入力ボックス１１０４には、ユーザがアップロードされたメディアコンテンツの作者名を入力できる。「作者及びアーティスト」フリーテキスト入力ボックス１１０４は、スタッシュにアップロードされたファイルに関連されたユーザ名とともに予め表示される。「説明」フリーテキスト入力ボックス１１０６には、ユーザがアップロードされたファイルに関する説明を入力することができる。「協力者（Credits）」フリーテキスト入力ボックス１１０８には、ユーザが、例えば、メディアコンテンツを作成した副協力者に関する情報を入力することができる。「キーワード」フリーテキスト入力ボックス１１１０では、ユーザがアップロードされたファイルに関連するキーワードを入力できる。キーワードは、カンマによって分けられる。
【００８０】
具体例においてウェブサイトは、メディアコンテンツを検索するためにこれらキーワードを使用する。ユーザは、「特徴タイプ」プルダウンボックス１１１２によって、使用可能な特徴タイプのリストからアップロードファイルにあった特徴タイプ（例えば、オーディオ又はビデオ）を選択することができる。「特徴サブタイプ」プルダウンボックス１１１４は、ユーザに使用可能な特徴サブタイプのリストからアップロードされたファイルにあった特徴サブタイプを選択させるためのものである。「ジャンル」プルダウンボックス１１１６は、ユーザに使用可能なジャンルのリストからアップロードファイルにあったジャンル（例えば、コメディ又は音楽）を選択させるためのものである。「サブジャンル」プルダウンボックス１１１８は、ユーザに使用可能なジャンルのリストからアップロードファイルにあった特徴サブジャンルを選択させるためのものである。「送信」ユーザ選択操作子１１２０では、ユーザがユーザのスタッシュに格納するためにコンテンツを送信することができる。
【００８１】
ウェブサイトは、スタッシュに格納されるファイルを受け取る前に、送信されたファイル情報（例えば、記入された要求箇所）の正当性の立証を実行する。ファイルのアップロードが成功すると、ウェブサイトは、ユーザによって入力されたファイルについての情報（メタデータ）に沿ってファイルサイズ及び作成日をキャプチャーし、これらをスタッシュに保存する。一方、ユーザは、アップロード処理の中断を決めると、「取消」ユーザ選択操作子１１２２を選択する。ユーザが「取消」ユーザ選択操作子１１２２を選択すると、ユーザは、スタッシュマネージャページ９００に戻る。
【００８２】
ユーザ間におけるメディアコンテンツの共有
ある具体例では、ウェブサイトのユーザは、ある「共有管理ページ（manage share page）」を介してスタッシュ内のメディアコンテンツファイルを共有できる。ユーザは、以下に限定されないが、他のページを参照可能にする適切なユーザ選択操作子（例えば、「共有管理」ユーザ選択操作子）又はポッパーを選択すること、又はウェブサイトに用意された全体検索メニュー（ウェブサイトグラフィカルガイドのような）を選択することを含む様々な方法で共有管理ページにアクセスできる。
【００８３】
一具体例では、ユーザが適切なユーザ選択操作子を選択すると、ウェブサイトは、ユーザがウェブサイトにログインしたことを照合する。ユーザがログインしなければ、ユーザログインページは、ユーザがログインするまで起動されている。一度ユーザがウェブサイトにログインすると、ユーザは、共有管理ページにアクセスできる。
【００８４】
図１２には、典型的な共有管理ページ１２００が示されている。共有管理ページ１２００は、ディレクトリ形式によってユーザのスタッシュのコンテンツを一覧表示する。ファイル作成日１２０４に従って、ファイル名１２０２が示されている。
【００８５】
ある具体例では、ユーザがファイル名を（例えば、マウスカーソル操作によって）ロールオーバ（roll over）すると、ユーザは、情報ボックス１２１０に示されるように、ファイルに関するより多くの情報が提示される。情報ボックス１２１０は、共有管理ページ１２００にファイルを提示したユーザによって供給されたファイルに関する説明文と同様に、ユーザに選択されたファイル名の特徴タイプ（すなわち、オーディオかビデオか）及び特徴サブタイプを提示する。
【００８６】
ユーザは、各ファイルに関連付けて用意された「情報」ユーザ選択操作子１２０８を選択することによって、特定ファイルについての更なる情報を閲覧することができる。ユーザは、各ファイルに関連付けて用意された「ダウンロード」ユーザ選択操作子１２０６を選択することによって特定ファイルをダウンロードすることを選択できる。その後、ユーザは、ダウンロード先を問われる。
【００８７】
共有管理ページ１２００には、ユーザがウェブサイト上のユーザのショーケースページにリンクするためのユーザ選択「マイショーケース」リンク１２１２が用意されている。（詳細は後に説明する。）同様に、ユーザがウェブサイト上の自分のスタッシュにリンクするためのユーザ選択「マイスタッシュ」リンク１２１４が用意されている。加えて、ユーザがウェブサイト上の自分の人物紹介ページにリンクするためのユーザ選択「人物紹介（My Bio）」リンク１２１６が用意されている。
【００８８】
ユーザは、「アップロード」ユーザ選択操作子１２１８を選択することによって、共有管理ページ１２００に自身のメディアコンテンツファイルをアップロードできる。「アップロード」ユーザ選択操作子１２１８が選択されると、ウェブサイトは、図１３に示すように、「共有管理にファイルをアップロードする」ポップアップウィンドウ１３００を起動する。
【００８９】
典型的な「共有管理にファイルをアップロードする」ポップアップウィンドウ１３００は、ユーザが共有管理ページ１２００におくことを希望するユーザＵＮＤ内のメディアコンテンツの一部をユーザが閲覧できるようにした「閲覧（browse）」ユーザ選択操作子１３０２を備えている。
【００９０】
一具体例では、ユーザは、最初に自身のスタッシュにメディアコンテンツをアップロードしメディアコンテンツを共有扱いにするフラグを付けるか要求される。ユーザが所望のコンテンツの一部を選択し、選択を確認すると、選択されたファイルのパスが「ファイルパス（File Path）」テキストボックス１３０６に入る。「名称」フリーテキスト入力ボックス１３０８は、ユーザが選択した所望のファイル名を入力できるようにしている。これは、共有管理ページ１２００に表示されたファイルの名称である。
【００９１】
ユーザがアップロード処理の中断を選択する場合には、「取消（Cancel）」ユーザ選択操作子１３１２を選択してもよい。ユーザが「中断」ユーザ選択操作子１３１２を選択すると、ユーザは、共有管理ページ１２００に戻される。「継続」ユーザ選択操作子１３１０は、ユーザにアップロード処理を継続させる。
【００９２】
一具体例において、「閲覧」ユーザ選択操作子１３０２によってファイルがユーザのＵＮＤにおかれファイルがユーザのスタッシュにアップロードされると、ウェブサイトは、スタッシュがアップロードファイルを許容する容量を有しているか照合する。ユーザが自身のスタッシュに十分な残量を持っている場合、ウェブサイトは、図１４に示されるような「共有アップロードの照合（Verify Share Upload）」ポップアップウィンドウ１４００を起動する。ファイルタイトル１４０２がユーザに提示される。
【００９３】
ユーザが「取消」ユーザ選択操作子１４０４を選択すると、ウェブサイトは、特定ファイルを共有管理ページ１２００に追加しないで共有管理ページ１２００に戻る。ユーザのスタッシュにアップロードを希望する場合、ユーザは、「イエス」ユーザ選択操作子１４０６を選択すればよい。ユーザが「イエス」ユーザ選択操作子１４０６を選択すると、図１１に示した「あなたのファイルに関する詳細」ポップアップウィンドウ１１００が起動される。このとき、ユーザは、図１１を用いて説明したようなファイルに関するメタデータを入力してもよい。ユーザが「取消」ユーザ選択操作子１１２２を選択すると、ウェブサイトは、特定ファイルを共有管理ページ１２００に追加しないでユーザを共有管理ページ１２００に戻す。一方、ユーザが「提出（Submit）」ユーザ選択操作子１１２０を選択した場合、ウェブサイトは、このファイルをユーザのスタッシュに格納する。この後、ユーザは、共有管理ページ１２００に戻される。
【００９４】
次にユーザがスタッシュマネージャページ９００に戻ると、ユーザは、新規アップロードファイルを含むアップロードファイルリストを見ることができる。新規アップロードファイルに関する共有インジケータ９１８は、新規アップロードファイルが共有されていることを表している。ユーザはまた、利用可能容量エリア９２８が新規アップロードファイルを追加したことによる記憶容量残量の減少を表していることを見ることができる。
【００９５】
再び図１３を参照すると、共有管理ポップアップウィンドウ１３００はまた、ユーザが共有管理ページ１２００において共有を希望し既に自分のスタッシュに格納したメディアコンテンツの一部に到達できるようにした「スタッシュ閲覧（browse stash）」ユーザ選択操作子１３０４を備えている。スタッシュ閲覧ユーザ選択操作子１３０４が選択されると、ウェブサイトは、図１５に示す「マイスタッシュの閲覧（Browse My Stash）」ポップアップウィンドウ１５００起動する。
【００９６】
典型的な「マイスタッシュの閲覧（Browse My Stash）」ポップアップウィンドウ１５００は、スタッシュファイル表示エリア１５０２を備えている。一具体例では、ユーザのスタッシュ内の全ファイルがファイル表示エリア１５０２に表示される。
【００９７】
ある具体例では、特定形式（例えば、「.hlx,」ファイル、「.acd,」ファイル、「.wav,」ファイル、「.au,」ファイル、「.aif,」ファイル、及び「.ra,」のオーディオファイル）の一ファイルは、共有管理ページ１２００に格納されてもよい。
【００９８】
これらの具体例では、誤った形式の一ファイルがマイスタッシュの閲覧ポップアップウィンドウ１５００に表示されてもよい。ある具体例において、表示されたファイルの数がポップアップスクリーンサイズを超過すると、ユーザは、追加ファイルをみられるようにしたユーザ選択操作子（例えば、「次（next）」ユーザ選択操作子）を選択することができるようになっていてもよい。
【００９９】
ユーザは、例えば、ラジオボタン又は隣のファイルを見るための他のユーザ選択操作子をクリックすることによって、スタッシュファイル表示エリア１５０２から共有されているファイルを選択してもよい。ユーザが「取消」ユーザ選択操作子１５０６を選択すると、ウェブサイトは、特定ファイルを共有管理ページ１２００に追加しないでユーザを管理共有ページ１２００に戻す。
【０１００】
一方、ユーザが「継続」ユーザ選択操作子１５０４を選択すると、ウェブサイトは、図１４に示す「共有アップロードの照合（Verify Share Upload）」ポップアップウィンドウ１４００を起動する。ユーザには、「ファイルタイトル」１４０２が提示される。ユーザが「取消」ユーザ選択操作子１４０４を選択すると、ウェブサイトは、特定ファイルを共有管理１２００に追加しないで、ユーザを共有管理ページ１２００に戻す。ユーザが共有を望む場合、ユーザは、「イエス」ユーザ選択操作子１４０６を選択すればよい。ユーザが「イエス」ユーザ選択操作子１４０６を選択すると、ユーザは、共有管理ページに戻される。続いて、ユーザがスタッシュマネージャページ９００に戻ると、ユーザは、アップロードされたファイルリストを見ることができる。
【０１０１】
新規共有ファイルに関連する共有インジケータ９１８は、ファイルが現在共有されていることを表している。ファイルが既にユーザのスタッシュに提示されているということが表示されている場合には、ユーザが最初にこのファイルをスタッシュに格納したとき情報を入力しているため、ファイルがユーザのＵＮＤからアップロードされたときのようにメタデータの入力は要求されない、ユーザの共有ファイルは、ウェブサイト上の他のユーザによってダウンロードされてもよいし、他のユーザによって彼らが生成したメディアコンテンツに結合されてもよい。このようにウェブサイトのユーザは、別のメディアコンテンツと「結合」することもできる。これにより、ユーザは、自身のメディアコンテンツ及びウェブサイトでの経験値を高めることができる。
【０１０２】
メディアコンテンツ公開処理
ある具体例では、ウェブサイトは、例えば、予め決められた形式のテンプレートで他のユーザのプラットホームに提示（「公開」）することでユーザに「ユーザショーケースページ（user showcase page）」を提供している。ユーザショーケースページは、プラットホーム上の他のユーザによって閲覧可能である。ユーザは、ユーザのスタッシュ又は自分のユーザショーケースページにおいたユーザのお気に入りからメディアコンテンツを選択してもよい。ある具体例では、ユーザは、特定メディア形式のメディアコンテンツの一部はユーザショーケースページに格納することが制限されていてもよい。例えば、一具体例として、ユーザは、「.rm,」、「.asf,」で拡張された映像ファイル、「.jpg,」、「.jpeg,」、「.gif,」で拡張された画像ファイル、「.swf,」で拡張されたフラッシュファイルを格納することができる。ショーケースページは、ユーザが他のユーザに対して提示する個人情報及び他の情報を有したユーザの「人物紹介ページ（bio page）」にリンクされている。ユーザショーケースページに表示されているメディアコンテンツが特に興味深い場合、ウェブサイト管理者は、ウェブサイトのメインページにメディアコンテンツを取り込む「取込（ingest）」を選択することができる。上述のように、ユーザのスタッシュに格納されたメディアコンテンツは、個人情報であって本人によってのみアクセスできるものであってもよい。一方、ユーザは、選択されたコンテンツをユーザショーケースページにロードすることを選択してもよい。
【０１０３】
一具体例では、ユーザは、自分のショーケースページを図１６に示すユーザショーケース管理ページ１６００を介して管理している。ユーザショーケースページ１６００の目的は、ユーザが自分のショーケースページ情報及びその内容を作成及び／又は編集することである。ユーザは、自分のショーケースページに関する以下の情報を管理することができる。すなわち、ページタイトル及び見出し、ユーザの人物紹介／連絡先（contact）情報を公開にするか非公開にするか、ページテンプレート、配色、及び配置である。ユーザはまた、メディアコンテンツをユーザのスタッシュ又はタイトル、アイコン、プロモートリンク、及びテキストリンクを含むお気に入りからユーザショーケースページに追加することができる。
【０１０４】
ある具体例では、ユーザは、ユーザショーケース管理ページ１６００にアクセスするためにはウェブサイトにログインするか登録する必要がある。まず、ユーザショーケース管理ページ１６００がユーザに提示されると、ページは現在のユーザ設定で予め埋められている。定型テキストエリア１６０２は、「ユーザ名」に応じたページ説明が表示される。ユーザ名は、登録時にユーザに選択されてもよい。ラジオボタン（又は他の適切なユーザ選択操作子）選択エリア１６０４は、ユーザに連絡先情報（例えば、ユーザの電子メールアドレス及び／又は電話番号）を提示するためのリンクを提供している。選択エリア１６０６は、ユーザにショーケースページ上の関連した人物紹介ページへリンクできるようにしている。一具体例では、このリンクには２つのフィールドがあり、１つは人物紹介ページ及びショーケースページの何れかへのリンク、もう１つはユーザの人物紹介ページ及びショーケースページのリンクからのリムーブである。フリーテキスト入力ボックス１６０８によって、ユーザは、自分のショーケースページのタイトルを入力することができる。
【０１０５】
一具体例では、ユーザは、フリーテキスト入力ボックス１６０８に６３文字まで入力できる。ユーザがショーケースページの名称を入力しなければ、ショーケースページ名は、登録時にユーザが選択したユーザ名にデフォルトされる。プルダウンボックス１６１０は、スタッシュに格納された写真ファイルの一覧の中からユーザに選択させるようになっている。選択された写真がユーザショーケースページに表示される。一具体例では、ユーザのスタッシュ内の写真ファイルであってショーケースページに有効な写真形式のみがユーザに提示される。プルダウンボックス１６１２によって、ユーザは、スタッシュに格納されたビデオ又はオーディオファイルのリストから選択できる。選択されたビデオ又はオーディオクリップは、ユーザが選択可能なビデオ又はオーディオクリップとしてユーザショーケースに特徴付けされる。
【０１０６】
一具体例では、ユーザのスタッシュ内のビデオ又はオーディオファイルであってショーケースページに有効なビデオ形式又はオーディオ形式のみがユーザに提示される。プルダウンボックス１６１４によって、ユーザは、ユーザショーケースページとして予め決められたテンプレートを選択することができる。このテンプレートは、ショーケースページの形式を決定している（すなわち、どのページ構成要素がページのどこに配置されるか。）プルダウンボックス１６１６によって、ユーザは、ユーザショーケースページの背景配色を選ぶことができる。テンプレートプレビューウィンドウ１６２０によって、ユーザは、テンプレートの型をプレビューできる。ショーケースページテンプレートのサムネイル例がユーザに提示されてもよい。
【０１０７】
一具体例では、このテンプレートプレビューページに機能はない（すなわち、イメージが定型である）。また別の具体例では、ユーザがテンプレート又は背景色を選択しなければ、予め決められたデフォルトのテンプレート及び配色が使用される。プルダウンボックス１６１８によって、ユーザは、ユーザショーケースページのタイプを反映したジャンル（例えば、コメディ、ドラマ、アクション、音楽など）を指定できる。
【０１０８】
「人物紹介の編集（Edit bio）」リンク１６２２は、ユーザを「人物紹介の編集」タブを含むユーザが設定したページにリンクさせる。ユーザが自分の名称を入力しユーザショーケースページの好みを選択するとき、ユーザは、継続操作子１６２４をクリック又は選択する。継続操作子１６２４が選択されると、ユーザによって入力された情報は、例えば、図１に示した記憶装置１０８に保存され、図１７に示すショーケース管理ページ１７００が起動される。典型的なショーケース管理ページ１７００は、定型テキスト領域１７０２を含んでいる。定型テキスト領域１７０２は、ページ説明を表示している。ショーケース管理ページ１７００はまた、テンプレートプレビューエリア１７０４を備え、テンプレートプレビューエリア１７０４によって、ユーザは、ユーザショーケース管理ページ１６００によってユーザが選択したテンプレートをプレビューできる。ユーザがショーケース管理ページ１７００に現在表示されているユーザショーケースページのテンプレートが気に入らなければ、ユーザは、「後退（back）」ユーザ選択操作子１７１８を選択することによって前のページに戻ってもよい。ユーザは、その後ユーザショーケー管理スページ１６００に戻って、新たなテンプレートを選択してもよい。
【０１０９】
一具体例では、テンプレートプレビューエリア１７０４は、例えば、ユーザがメディアコンテンツへのプロモートリンク又はテキストリンクを張ろうとするユーザショーケースページ上の表示領域に、番号付けされた「スロット（slots）」を備えている。使用可能なスロットの番号は、ユーザショーケース管理ページ１６００上においてユーザによって選択されたテンプレートに依存している。このスロットは、最初は空欄であってもよい。ユーザは、コンテンツの１つを配置する所望の場所として番号付けされたスロットの１つをクリック又は選択する。スロットを選択することによって、ユーザは、選択されたスロットに配置するメディアコンテンツへのリンクを選ぶことができる。ユーザは、プルダウンボックス１７０６を選択することによってユーザのスタッシュ内に格納されたメディアコンテンツへリンクを張ってもよい。あるいは、ユーザは、プルダウンボックス１７０８を選択することによってユーザがお気に入りとして指定したメディアコンテンツへのリンクを選択してもよい。
【０１１０】
一具体例では、ユーザのスタッシュ又はお気に入り内のビデオ又はオーディオファイルであってショーケースページに有効なビデオ形式又はオーディオ形式のみがユーザに提示される。ユーザは、これらのうち１つをテンプレートプレビューエリア１７０４において選択されたスロットに当てはめてもよい。ユーザはまた、プルダウンボックス１７０６及び１７０８において「ブランク（blank）」を選択することもできる。「ブランク」が選択されると、現在選択されたスロットに当てはめられているメディアコンテンツは消去され、スロットは再び空欄に戻される。ユーザは、ユーザショーケースページ上で選択されたスロットに当てはめるコンテンツの一部をスタッシュからの画像又はウェブサイトによって供給された画像から選択してもよい。ユーザは、プルダウンボックス１７１０によってユーザのスタッシュに保存された画像を選択することができ、プルダウンボックス１７１２によってウェブサイト画像を選択することができる。スタッシュ内にあってユーザショーケースページに有効な写真形式のファイルのみが選択のためにユーザに提示される。
【０１１１】
ある具体例では、この機能は、リンクのためには使用できない（すなわち、ユーザは、画像をスロット内のリンクに関連づけすることはできない）。スロットが埋まると、プレビュー画像は、スロットが満たされていることを表示する。あるいは、ユーザは、特定メディアコンテンツへリンクするためにユーザによって選択されたリンクされたテキスト（すなわち、テキストプロモート）をスロットに当てはめる。例えば、テンプレートプレビューエリア１７０４におけるスロット番号７〜１６は、オーディオ及びビデオメディアコンテンツの１０個の分割アイテムに対して１０個の分割テキストプロモートで置き換えられてもよい。フリーテキスト入力ボックス７１４によって、ユーザは、選択したスロットに当てはめたコンテンツのひとつ対するタイトルを入力できる。
【０１１２】
一具体例では、ユーザは、最大文字数が制限されている。このタイトルは、ユーザショーケースページ上のメディアコンテンツに関連したテキスト又は画像の隣に表示される。タイトルはまた、ユーザショーケースページ間を検索するためにソートキーの一部として使用される（すなわち、メタデータとして）。ユーザが所望のスロットを埋めて所望の情報を入力及び／又は選択するには、ユーザは、「付加（Add）」ユーザ選択操作子１７１６を選択すればよい。「付加」ユーザ選択操作子１７１６は、関連付けされたメタデータに応じてユーザショーケースページに選択されたメディアコンテンツの一部を付加するのであってもよい。プレビュー画像内の選択されたスロットは、選択された画像又はリンクにより一時的に置き換えられ、ユーザショーケースページに関する情報が一時的に格納される。
【０１１３】
ある具体例ではまた、このとき、お気に入りへのあらゆるリンクがウェブサイト上でアクティブな（現行で有効な）リンクであるとして照合される。有効でなければ、ユーザにエラーメッセージが提示される。ユーザは、テンプレートプレビューエリア１７０４の全スロットに対して上述したステップを繰り返してもよい。ユーザは、所望のスロットを全てメディアコンテンツで満たして、「実行（done）」ユーザ選択操作子１７２０を選択すればよい。「実行」ユーザ選択操作子１７２０が選択されると、ユーザショーケースページは、メディアコンテンツ及びショーケース管理ページ１７００でユーザによって入力された情報で更新される。
【０１１４】
図１８は、ユーザショーケースページ１８００の典型例を示している。ユーザショーケースページ１８００は、例えば、ユーザの人物紹介ページにある「ショーケースページリンク（Showcase Page Link）」を選択すること、検索結果から「ショーケースページリンク」を選択すること、全体検索結果から「ショーケースページリンクを」を選択すること、「WWW.website.com/USERNAME」のようにウェブブラウザによってユーザ名とともにウェブサイトのＵＲＬを入力することによりアクセスされる。ユーザ名は、ユーザショーケースページ１８００における定型テキストエリア１８０２に表示される。ある具体例では、ユーザ名は、登録時にユーザによって選択される。ユーザショーケースページタイトルもまた、定型テキストエリア１８０２に表示される。ユーザショーケースページタイトルは、図１６を用いて説明するように、ユーザショーケース管理ページ１６００のフリーテキスト入力ボックス１６０８においてユーザによって入力されてもよい。
【０１１５】
ある具体例では、ユーザがユーザショーケースページに名称を入力しなかった場合、「ショーケース」のようなデフォルト名が表示されてもよい。「人物紹介の編集」リンク１８０４は、ユーザが設定した「人物紹介の編集」タブを含むページにリンクする。その後、ユーザは、ユーザの人物紹介を編集するページにリンクするためのタブを選択する。表示エリア１８０６は、ユーザがユーザショーケース管理ページ１６００上のプルダウンボックス１６１０を介して表示する写真が選択されていれば、ここで選択された写真を選択的に表示する。同様に、表示エリア１８０８は、ユーザがユーザショーケース管理ページ１６００上のプルダウンボックス１６１２を介して選択されたオーディオ又はビデオクリップを選択的に当てはめる。メディアコンテンツがオーディオであれば、以下に限定されないが、クリック可能な「試聴」アイコンのようなユーザ選択操作子がオーディオファイルを再生するためのオーディオポッパーを起動する。同様に、メディアコンテンツがビデオであれば、以下に限定されないが、クリック可能な「再生」アイコンのようなユーザ選択操作子がビデオファイルを再生するためのビデオポッパーを起動する。
【０１１６】
ある具体例では、ユーザショーケースページ１８００は、広告バナー１８１０を含んでおり、この広告バナー１８１０は、以下に限定されないが、広告文句、広告主のウェブサイト及び商品画像ににリンクするためのユーザ選択ＵＲＬリンクを含む構成要素が含まれるようにウェブサイト管理者によってプログラミングされてもよい。加えて、「これを友達に送る（Send This to a friend ）」ユーザ選択操作子１８１２が選択されたとき、電子メールを介して現在のユーザショーケースページへのリンクを送る。「あなたのショーケースを作成する（Create Your Own Showcase ）」ユーザ選択操作子１８１４が選択されると、典型的なユーザショーケースページ１８００にアクセスした他のユーザ（すなわち、現在のユーザショーケースページ１８００の作成者ではない）がユーザショーケースを作成できるように、ユーザショーケース管理ページ１６００にリンクする。
【０１１７】
具体例では、ユーザショーケースページを作成するには、ログインすることが求められるが、まず、この操作子が選択されると、ユーザがユーザショーケースページを作成する前にこのユーザがログインするためのログインページを起動する。「他のショーケースを閲覧する（view other showcase）」ユーザ選択操作子１８１６が選択されると、ある具体例では、ユーザをウェブサイト上のユーザショーケースページのリストが表示されるウェブサイトグラフィカルガイドの一部にリンクする。ユーザショーケースページは、タイトル、ジャンル、特徴タイプ、又は他のメタデータ毎に一覧表示される。ユーザは、検索リストによって検索し所望のユーザショーケースページを選択してもよい。このとき、ユーザショーケースページがウェブサイトによって起動される。グラフィックプロモートエリア１８１８には、以下に限定されないが、ユーザによって選択可能なメディアコンテンツを象徴するものを含むプロモートリンクのようなメディアコンテンツへのリンクがおかれている。これらのプロモートは、ユーザによって構成され、上述したショーケース管理ページ１７００に関連するステップにおいてメディアコンテンツにリンクされる。
【０１１８】
グラフィックプロモートエリア１８１８内の各プロモートは、図１８に示すようなファイル形式に基づくオーディオ又はビデオとして指定されてもよい。例えば、ファイルが「.aif,」ファイル、「.wav,」ファイル、「.au,」ファイル、又は「.ra,」ファイルであれば、オーディオ名称が表示される。同様に、ファイルが「.rm,」ファイル、「.asf,」ファイル、又は「.swf,」であれば、ビデオ名称が表示される。ある具体例では、これらの名称は、定型テキストであって機能をもたなくてもよい。ユーザショーケースページ１８００の典型例に表示されたグラフィックプロモートの数は、ユーザショーケース管理ページ１６００に関連して上述したテンプレート選択ステップによって決定される。グラフィックプロモートエリア１８１８内の各プロモートは、ユーザによって選択可能であってもよく、ユーザが選択可能な形式によってメディアコンテンツを再生するためのメディアプレイヤにリンクされてもよい。プロモートが選択されると、選択されたプロモートに関連するメディアコンテンツを再生するに適切なポッパー（例えば、オーディオ及び／又はビデオメディアプレイヤポップアップウィンドウ）を起動する。
【０１１９】
一具体例では、グラフィックプロモートエリア１８１８内の各プロモートの下には、プロモートに関連したメディアコンテンツのタイトル及び評価を含む定型テキストエリアが設けられている。グラフィックプロモートエリア１８１８の下に表示されるタイトル及び評価は、典型的なユーザショーケースページ１８００上では何の機能もない（すなわち、それらは定型テキストである）。タイトルは、ショーケース管理ページ１７００上のフリーテキスト入力ボックス１７１４においてユーザによって入力されたタイトルである。ある具体例では、ウェブサイトのユーザは、ユーザショーケースページを介して取得した（experienced）メディアコンテンツに対する評価を与えてもよい。ユーザショーケースページにおいて選択されるプロモートによって起動されたオーディオ又はビデオポッパーは、このプロモートに関連するメディアコンテンツを再生する。ポッパーは、評価機能を有していてもよい（例えば、ユーザ選択操作子又はフリーテキスト入力ボックスに）。この評価機能によって、ユーザは、特定プロモートに関連するメディアコンテンツに対する評価の機会が与えられる。
【０１２０】
この具体例では、各グラフィックプロモートエリア１８１８の下の定型テキストエリアに示すように、平均評価がユーザショーケースページに提示される。上述のように、グラフィックプロモートに付加して、ユーザは、メディアコンテンツへのリンクが用意されたテキストプロモートを含むようにユーザショーケースページを設計することもできる。この例は、テキストプロモートエリア１８２０に示されている。上述したグラフィックプロモートのように、各テキストプロモートは、オーディオ又はビデオとして指定される。この名称は、テキストプロモートに隣接したタイトル及び評価と同様に、定型であって機能をもたない。テキストプロモートは、選択されると、ファイル形式に依存するオーディオ又はビデオ何れかの適切なポッパーを起動する。テキストプロモートの数は、上述したように、テンプレートの選択によって決定される。このように、ユーザがメディア作成を表示するために、ユーザショーケース管理ページ１６００及びショーケース管理ページ１７００を使用してユーザショーケースページ１８００の典型例のようなユーザショーケースページを設計してもよい。ウェブサイト管理者は、ユーザが生成した特に興味深いメディアコンテンツをみつけるために定期的にユーザショーケースを閲覧してもよい。そのようなメディアコンテンツが見つけられた場合、ユーザのメディアコンテンツは、ミュージシャン、ディレクタ、及び写真家のようなプロのメディアアーティストから許可を得たメディアコンテンツに並べられて表示されるためにホームページ（又は他のウェブサイトページ）内に取り込まれる。
【０１２１】
このように、上述したメディアコンテンツの作成、編集、共有、及び公開のためのブロードバンド創造性プラットホームの具体例によれば、ユーザは、プラットホームによって供給されたメディアコンテンツ作成及び編集ツール及びデジタル資産を使用してメディアコンテンツを生成し編集することができる。その上、上述したメディアコンテンツの作成、編集、共有、及び公開のためのブロードバンド創造性プラットホームの具体例によれば、ユーザのメディアコンテンツをより多くの視聴者に提示することができる。加えて、上述したメディアコンテンツの作成、編集、共有、及び公開のためのブロードバンド創造性プラットホームの具体例によれば、ユーザは、メディアコンテンツを他のユーザと共有できる。更に、上述したメディアコンテンツの作成、編集、共有、及び公開のためのブロードバンド創造性プラットホームの具体例によれば、ユーザは、自分のメディアコンテンツをプロのメディアコンテンツクリエータによって作成されたメディアコンテンツに並べて提示することができる。
【０１２２】
上述したコンテンツ管理システム及び方法の説明では、ワールドワイドウェブ及びインターネットを介して、ウェブサイトとしてアクセスできるネットワークサーバシステム（「ウェブサイト」と呼ぶ）を用いた実施例に焦点をあてた。しかしながら、上述したシステム及び方法の多く又は全ては、他のデータ接続形態にも容易に適応化することができる。この接続形態には、以下に限定されるものではないが、他のインターネット接続インタフェース（例えば、ＦＴＰサーバ）、プライベートネットワーク（例えば、加入者に対してＩＳＰによって提供されるネットワーク）、直接接続（例えば、ホテル、オフィスビルディング、教育施設等の限定された領域内で有線接続されたステーションの組）等が含まれる。更に、ユーザがコンピュータシステムを用いてウェブサイトにアクセスし、メディアコンテンツを作成及び編集し、電子ファイルをダウンロードする具体例を説明したが、このコンピュータシステムは、パーソナルコンピュータシステムであっても、他のいかなる適切なコンピュータシステムであってもよい。しかしながら、上述したシステム及び方法の多く又は全ては、サーバにアクセスし、サーバからデータをダウンロードするために用いられる他のＵＮＤにも容易に適応化することができる。このようなＵＮＤには、以下に限定されるものではないが、ケーブルモデム及びハードディスクに接続され又はケーブルモデム及びハードディスクが内部に組み込まれたテレビジョン、個人用情報携帯端末（personal digital assistant：ＰＤＡ）、メディアプレイヤ、携帯電話機、及びコンテンツを保存するストレージ装置及び／又はユーザにメディアコンテンツを再生又は表示する表示メカニズムを備えるこの他の適切なネットワーク対応機器が含まれる。
【０１２３】
本発明の様々な実施の形態は、上述した特徴及び機能のうちの１以上の特徴又は機能を含んでいてもよい。実施の形態の一例は、上述した全ての特徴及び機能を含む。したがって、メディアコンテンツ作成及び公開システム及びその方法の一例を説明した。一具体例において、ユーザが自身のメディアコンテンツを作成及び編集するためにオンライン又はダウンロードによってアクセスできる作成及び編集ツールとして、ブロードバンドによるプラットホームウェブサイトが示されている。ユーザは、ウェブサイトの他のユーザに自分のメディアコンテンツを提示できる。
【０１２４】
一具体例として、ウェブサイトは、ユーザに多くのウェブページ、及びユーザがメディアコンテンツの作成及び編集を容易に行うことができる他のプログラミングされた要素を提示し、ユーザ格納領域にメディアコンテンツを格納及び管理し、ウェブサイトによって供給されるメディアコンテンツと同様にユーザのメディアコンテンツを表示するための「ユーザショーケースページ」を設計する。ウェブサイトの他のユーザは、ユーザショーケースページを閲覧できる。更にウェブサイトのユーザは、「共有管理ページ」を介して他のユーザとメディアコンテンツを共有できる。
【０１２５】
上述した本発明の実施の形態の詳細な説明と、添付の図面及び請求の範囲により、本発明の実施の形態の上述及びこの他の目的、特徴、利点は、当業者にとって明らかとなる。なお、上述の説明では、本発明の具体例の構造及び機能の詳細とともに、本発明の実施の形態の多くの特徴及び利点を明らかにしたが、ここに開示した形態は、例示的なものにすぎない。添付の請求の範囲を表現する広範な意味の用語によって示される本発明の原理の最大限の範囲内において、特に構造の要素及び部分的な処理等の詳細を変更してもよい。本発明の最良の実施の形態を例示的に開示したが、添付の請求の範囲に定義される本発明の範囲から逸脱することなく、ここに開示した実施の形態を様々に修正し、変更することができる。
【図１】
2010109989.tif 000003
【図２】
2010109989.tif 000004
【図３】
2010109989.tif 000005
【図４】
2010109989.tif 000006
【図５】
2010109989.tif 000007
【図６】
2010109989.tif 000008
【図７】
2010109989.tif 000009
【図８】
2010109989.tif 000010
【図９】
2010109989.tif 000011
【図１０】
2010109989.tif 000012
【図１１】
2010109989.tif 000013
【図１２】
2010109989.tif 000014
【図１３】
2010109989.tif 000015
【図１４】
2010109989.tif 000016
【図１５】
2010109989.tif 000017
【図１６】
2010109989.tif 000018
【図１７】
2010109989.tif 000019
【図１８】
2010109989.tif 000020